(57)【要約】  本発明は、ダウンリンクデータを送信するためのリソースを決定および構成する方法、端末および基地局を開示する。本発明では、基地局は、各端末のダウンリンクデータを受信するためのリソース集合またはリソース集合サブグループを構成し、その後、基地局は、すべてのリソース集合または構成されたリソース集合の各リソース集合、またはすべてのリソース集合サブグループ、または構成されたリソース集合サブグループの各リソース集合サブグループが使用可能であるかどうかを、明示的なシグナリングの方法で端末に通知し、端末が通知に従って、ダウンリンクデータを受信するためのリソースの周波数リソース位置を決定するようになり、したがって、端末は、当該決定されたリソースにおいてレートマッチングを実行してもよい。
2020533901.tif 000002
【特許請求の範囲】
【請求項１】
受信された基地局によって送信されたリソース構成情報に基づいて、基地局によって端末に対して構成されたダウンリンクデータを受信するための第１のリソース集合または第１のリソース集合グループの第１の時間-周波数リソース位置を決定するステップと、
受信された基地局によって送信された指示情報に基づいて、ダウンリンクデータを受信するための第２のリソース集合または第２のリソース集合グループの第２の時間-周波数リソース位置を決定するステップとを備え、
前記指示情報は、前記第１のリソース集合のすべてのリソース集合または各リソース集合、または第１のリソース集合グループのすべてのリソース集合サブグループまたは各リソース集合サブグループがダウンリンクデータの送信に使用されるかどうかを示し、前記第１のリソース集合グループは、少なくとも１つのリソース集合サブグループを含み、前記少なくとも１つのリソース集合サブグループには、少なくとも１つのリソース集合が含まれることを特徴とする端末側に適用されるダウンリンクデータを受信するためのリソースを決定する方法。
【請求項２】
前記指示情報は、
受信された基地局によって送信されたグループ共通物理ダウンリンク制御チャネル（ＰＤＣＣＨ）またはデータ伝送をスケジューリングするユーザー機器（ＵＥ）専属ダウンリンク制御情報（ＤＣＩ）により運ばれる、前記第１のリソース集合のすべてのリソース集合または第１のリソース集合グループのすべてのリソース集合サブグループがダウンリンクデータの送信に使用されることを示す指示情報、または、
受信された基地局によって送信されたグループ共通ＰＤＣＣＨまたはデータ伝送をスケジューリングするＵＥ専属ＤＣＩにより運ばれる、前記第１のリソース集合のすべてのリソース集合または第１のリソース集合グループのすべてのリソース集合サブグループがダウンリンクデータの送信に使用されないことを示す指示情報、または、
受信された基地局によって送信されたグループ共通ＰＤＣＣＨにより運ばれる、前記第１のリソース集合内の、ダウンリンクデータの送信に使用されないリソース集合およびダウンリンクデータの送信に使用されるリソース集合を示すビットマップ指示情報、または、
受信された基地局によって送信されたグループ共通ＰＤＣＣＨにより運ばれる、前記第１のリソース集合グループ内の、ダウンリンクデータの送信に使用されないリソース集合サブグループおよびダウンリンクデータの送信に使用されるリソース集合サブグループを示すビットマップ指示情報を含むことを特徴とする請求項１に記載の端末側に適用されるダウンリンクデータを受信するためのリソースを決定する方法。
【請求項３】
前記少なくとも１つのリソース集合内のいずれのリソース集合は、少なくとも１つの周波数領域上のリソースブロック（ＲＢ）および時間領域上の少なくとも１つの直交周波数分割多重ＯＦＤＭシンボルを含み、または少なくとも１つの制御チャネル要素（ＣＣＥ）を含み、または少なくとも１つのＣＣＥグループを含み、または少なくとも１つの物理リソースブロックＰＲＢグループを含み、または少なくとも１つのリソース要素（ＲＥ）を含み、または少なくとも１つのＲＥグループを含むことを特徴とする請求項１に記載の端末側に適用されるダウンリンクデータを受信するためのリソースを決定する方法。
【請求項４】
前記少なくとも１つのリソース集合サブグループは、受信された基地局によって送信された高位層シグナリングで運ばれる少なくとも１つのリソース集合をグルーピングするためのグルーピング情報を通じて取得されることを特徴とする請求項１に記載の端末側に適用されるダウンリンクデータを受信するためのリソースを決定する方法。
【請求項５】
前記リソース構成情報は、受信された基地局によって送信された高位層シグナリングで運ばれるリソース構成情報を含むことを特徴とする請求項１に記載の端末側に適用されるダウンリンクデータを受信するためのリソースを決定する方法。
【請求項６】
前記受信された基地局によって送信された指示情報に基づいて、ダウンリンクデータを受信するための第２のリソース集合または第２のリソース集合グループの第２の時間-周波数リソース位置を決定し、前記指示情報は、前記第１のリソース集合のすべてのリソース集合または各リソース集合、または第１のリソース集合グループのすべてのリソース集合サブグループまたは各リソース集合サブグループがダウンリンクデータの送信に使用されるかどうかを示す場合、
基地局によって送信された前記第１のリソース集合のすべてのリソース集合または第１のリソース集合グループのすべてのリソース集合サブグループがダウンリンクデータの送信に使用されることを示す指示情報が受信されたとき、ダウンリンクデータを受信するための第２のリソース集合または第２のリソース集合グループの第２の時間-周波数リソース位置を決定し、前記第１の時間-周波数リソース位置と前記第２の時間-周波数リソース位置が同じであり、または、
前記基地局によって送信された前記第１のリソース集合のすべてのリソース集合または第１のリソース集合グループのすべてのリソース集合サブグループがダウンリンクデータの送信に使用されないことを示す指示情報が受信されたとき、ダウンリンクデータを受信するための第２のリソース集合または第２のリソース集合グループの第２の時間-周波数リソース位置を決定し、前記第１の時間-周波数リソース位置と前記第２の時間-周波数リソース位置は異なり、または、
基地局によって送信された前記第１のリソース集合内の、ダウンリンクデータの送信に使用されないリソース集合およびダウンリンクデータの送信に使用されるリソース集合を示すビットマップ指示情報が受信されたとき、前記ビットマップ指示情報に基づき、ダウンリンクデータを受信するための第２のリソース集合の第２の時間-周波数リソース位置を決定し、前記第２の時間-周波数リソース位置は、前記第１のリソース集合内のダウンリンクデータの送信に使用されるリソース集合の時間-周波数リソース位置を含み、または、
基地局によって送信された前記第１のリソース集合グループ内の、ダウンリンクデータの送信に使用されないリソース集合サブグループおよびダウンリンクデータの送信に使用されるリソース集合サブグループを示すビットマップ指示情報が受信されたとき、前記ビットマップ指示情報に基づき、ダウンリンクデータを受信するための第２のリソース集合グループの第２の時間-周波数リソース位置を決定し、前記第２の時間-周波数リソース位置は、前記第１のリソース集合グループ内のダウンリンクデータの送信に使用されるリソース集合サブグループの時間-周波数リソース位置を含むことを特徴とする請求項１から請求項５のいずれか一項に記載の端末側に適用されるダウンリンクデータを受信するためのリソースを決定する方法。
【請求項７】
端末がダウンリンクデータを受信するための第１のリソース集合または第１のリソース集合グループの第１の時間-周波数リソース位置を取得できるように、リソース構成情報を前記端末に送信し、
前記端末が指示情報に基づいてダウンリンクデータを受信するための第２のリソース集合または第２のリソース集合グループの第２の時間-周波数リソース位置を決定するように、前記第１のリソース集合のすべてのリソース集合または各リソース集合、または第１のリソース集合グループのすべてのリソース集合サブグループまたは各リソース集合サブグループがダウンリンクデータの送信に使用されるかどうかを示すための前記指示情報を端末に送信し、前記第１のリソース集合グループは、少なくとも１つのリソース集合サブグループを含み、前記少なくとも１つのリソース集合サブグループ内のいずれのリソース集合サブグループは、少なくとも１つのリソース集合を含むことを特徴とする基地局側に適用されるダウンリンクデータを送信するためのリソースを構成する方法。
【請求項８】
前記指示情報は、
グループ共通ＰＤＣＣＨまたはデータ伝送をスケジューリングするＵＥ専属ＤＣＩにより運ばれる、前記第１のリソース集合または第１のリソース集合グループのすべてのリソース集合がダウンリンクデータの送信にしようされることを示す指示情報、または、
グループ共通ＰＤＣＣＨまたはデータ伝送をスケジューリングするＵＥ専属ＤＣＩにより運ばれる、前記第１のリソース集合または第１のリソース集合グループのすべてのリソース集合がダウンリンクデータの送信に使用されない指示情報、または、
グループ共通ＰＤＣＣＨにより運ばれる、前記第１のリソース集合内の、ダウンリンクデータの送信に使用されないリソース集合およびダウンリンクデータの送信に使用されるリソース集合を示すビットマップ指示情報、または、
グループ共通ＰＤＣＣＨにより運ばれる、前記第１のリソース集合グループ内の、ダウンリンクデータの送信に使用されないリソース集合サブグループおよびダウンリンクデータの送信に使用されるリソース集合サブグループを示すビットマップ指示情報を含むことを特徴とする請求項７に記載の基地局側に適用されるダウンリンクデータを送信するためのリソースを構成する方法。
【請求項９】
前記少なくとも１つのリソース集合内のいずれのリソース集合は、少なくとも１つの周波数領域上のＲＢおよび時間領域上の少なくとも１つのＯＦＤＭシンボルを含み、または少なくとも１つのＣＣＥを含み、または少なくとも１つのＣＣＥグループを含み、または少なくとも１つのＰＲＢグループを含み、または少なくとも１つのＲＥを含み、または少なくとも１つのＲＥグループを含むことを特徴とする請求項７に記載の基地局側に適用されるダウンリンクデータを送信するためのリソースを構成する方法。
【請求項１０】
前記少なくとも１つのリソース集合サブグループは、端末に送信された高位層シグナリングで運ばれる少なくとも１つのリソース集合をグルーピングするためのグルーピング情報により取得されることを特徴とする請求項７に記載の基地局側に適用されるダウンリンクデータを送信するためのリソースを構成する方法。
【請求項１１】
前記リソース構成情報は、
端末に送信された高位層シグナリングで運ばれるリソース構成情報を含むことを特徴とする請求項７に記載の基地局側に適用されるダウンリンクデータを送信するためのリソースを構成する方法。
【請求項１２】
前記端末が前記指示情報に基づいてダウンリンクデータを受信するための第２のリソース集合または第２のリソース集合グループの第２の時間-周波数リソース位置を決定するように、前記第１のリソース集合のすべてのリソース集合または各リソース集合、または第１のリソース集合グループのすべてのリソース集合サブグループまたは各リソース集合サブグループがダウンリンクデータの送信に使用されるかどうかを示すための指示情報を端末に送信する場合、
前記端末が前記指示情報に基づいてダウンリンクデータを受信するための第２のリソース集合または第２のリソース集合グループの第２の時間-周波数リソース位置を決定するように、前記第１のリソース集合のすべてのまたは第１のリソース集合グループのすべてのリソース集合がダウンリンクデータに送信に使用されないことを示す指示情報を端末に送信し、前記第１の時間-周波数リソース位置と前記第２の時間-周波数リソース位置は異なり、または、
前記端末が前記指示情報に基づいてダウンリンクデータを受信するための第２のリソース集合または第２のリソース集合グループの第２の時間-周波数リソース位置を決定するように、前記第１のリソース集合のすべてのまたは第１のリソース集合グループのすべてのリソース集合がダウンリンクデータの送信に使用されることを示す指示情報を端末に送信し、前記第１の時間-周波数リソース位置と前記第２の時間-周波数リソース位置が同じであり、または、
前記端末が前記指示情報に基づいてダウンリンクデータを受信するための第２のリソース集合または第２のリソース集合グループの第２の時間-周波数リソース位置を決定するように、前記第１のリソース集合内の、ダウンリンクデータの送信に使用されないリソース集合およびダウンリンクデータの送信に使用されるリソース集合を示すビットマップ指示情報を端末に送信し、前記第２の時間-周波数リソース位置は、前記第１のリソース集合内のダウンリンクデータの送信に使用されるリソース集合の時間-周波数リソース位置を含み、または、
前記端末が前記指示情報に基づいてダウンリンクデータを受信するための第２のリソース集合または第２のリソース集合グループの第２の時間-周波数リソース位置を決定するように、前記第１のリソース集合グループ内の、ダウンリンクデータの送信に使用されないリソース集合サブグループおよびダウンリンクデータの送信に使用されるリソース集合サブグループを示すビットマップ指示情報を端末に送信し、前記第２の時間-周波数リソース位置は、前記第１のリソース集合グループ内のダウンリンクデータの送信に使用されるリソース集合サブグループの時間-周波数リソース位置を含むことを特徴とする請求項７から請求項１１のいずれか一項に記載の基地局側に適用されるダウンリンクデータを送信するためのリソースを構成する方法。
【請求項１３】
メモリ内のプログラムを読み取り、次のプロセスを実行するように構成されたプロセッサと、
プロセッサの制御下でデータを送受信するように構成された送受信機とを備え、
前記プロセッサは、
受信された基地局によって送信されたリソース構成情報に基づいて、基地局によって端末に対して構成されたダウンリンクデータを受信するための第１のリソース集合または第１のリソース集合グループの第１の時間-周波数リソース位置を決定し、
受信された基地局によって送信された指示情報に基づいて、ダウンリンクデータを受信するための第２のリソース集合または第２のリソース集合グループの第２の時間-周波数リソース位置を決定し、前記指示情報は、前記第１のリソース集合のすべてのリソース集合または各リソース集合、または第１のリソース集合グループのすべてのリソース集合サブグループまたは各リソース集合サブグループがダウンリンクデータの送信に使用されるかどうかを示し、前記第１のリソース集合グループは、少なくとも１つのリソース集合サブグループを含み、前記少なくとも１つのリソース集合サブグループには、少なくとも１つのリソース集合が含まれることを特徴とする端末。
【請求項１４】
前記指示情報は、
受信された基地局によって送信されたグループ共通ＰＤＣＣＨまたはデータ伝送をスケジューリングするＵＥ専属ＤＣＩにより運ばれる、前記第１のリソース集合のすべてのリソース集合または第１のリソース集合グループのすべてのリソース集合サブグループがダウンリンクデータの送信に使用されることを示す指示情報、または、
受信された基地局によって送信されたグループ共通ＰＤＣＣＨまたはデータ伝送をスケジューリングするＵＥ専属ＤＣＩにより運ばれる、前記第１のリソース集合のすべてのリソース集合または第１のリソース集合グループのすべてのリソース集合サブグループがダウンリンクデータの送信に使用されないことを示す指示情報、または、
受信された基地局によって送信されたグループ共通ＰＤＣＣＨにより運ばれる、前記第１のリソース集合内の、ダウンリンクデータの送信に使用されないリソース集合およびダウンリンクデータの送信に使用されるリソース集合を示すビットマップ指示情報、または、
受信された基地局によって送信されたグループ共通ＰＤＣＣＨにより運ばれる、前記第１のリソース集合グループ内の、ダウンリンクデータの送信に使用されないリソース集合サブグループおよびダウンリンクデータの送信に使用されるリソース集合サブグループを示すビットマップ指示情報を含むことを特徴とする請求項１３に記載の端末。
【請求項１５】
前記少なくとも１つのリソース集合内のいずれのリソース集合は、少なくとも１つの周波数領域上のＲＢおよび時間領域上の少なくとも１つのＯＦＤＭシンボルを含み、または少なくとも１つのＣＣＥを含み、または少なくとも１つのＣＣＥグループを含み、または少なくとも１つのＰＲＢグループを含み、または少なくとも１つのＲＥを含み、または少なくとも１つのＲＥグループを含むことを特徴とする請求項１４に記載の端末。
【請求項１６】
前記少なくとも１つのリソース集合サブグループは、受信された基地局によって送信された高位層シグナリングで運ばれる少なくとも１つのリソース集合をグルーピングするためのグルーピング情報を通じて取得されることを特徴とする請求項１４に記載の端末。
【請求項１７】
前記リソース構成情報は、
受信された基地局によって送信された高位層シグナリングで運ばれるリソース構成情報を含むことを特徴とする請求項１３に記載の端末。
【請求項１８】
基地局によって送信された前記第１のリソース集合のすべてのリソース集合または第１のリソース集合グループのすべてのリソース集合サブグループがダウンリンクデータの送信に使用されることを示す指示情報が受信されたとき、ダウンリンクデータを受信するための第２のリソース集合または第２のリソース集合グループの第２の時間-周波数リソース位置を決定し、前記第１の時間-周波数リソース位置と前記第２の時間-周波数リソース位置が同じであり、または、
前記基地局によって送信された前記第１のリソース集合のすべてのリソース集合または第１のリソース集合グループのすべてのリソース集合サブグループがダウンリンクデータの送信に使用されないことを示す指示情報が受信されたとき、ダウンリンクデータを受信するための第２のリソース集合または第２のリソース集合グループの第２の時間-周波数リソース位置を決定し、前記第１の時間-周波数リソース位置と前記第２の時間-周波数リソース位置は異なり、または、
基地局によって送信された前記第１のリソース集合内の、ダウンリンクデータの送信に使用されないリソース集合およびダウンリンクデータの送信に使用されるリソース集合を示すビットマップ指示情報が受信されたとき、前記ビットマップ指示情報に基づき、ダウンリンクデータを受信するための第２のリソース集合の第２の時間-周波数リソース位置を決定し、前記第２の時間-周波数リソース位置は、前記第１のリソース集合内のダウンリンクデータの送信に使用されるリソース集合の時間-周波数リソース位置を含み、または、
基地局によって送信された前記第１のリソース集合グループ内の、ダウンリンクデータの送信に使用されないリソース集合サブグループおよびダウンリンクデータの送信に使用されるリソース集合サブグループを示すビットマップ指示情報が受信されたとき、前記ビットマップ指示情報に基づき、ダウンリンクデータを受信するための第２のリソース集合グループの第２の時間-周波数リソース位置を決定し、前記第２の時間-周波数リソース位置は、前記第１のリソース集合グループ内のダウンリンクデータの送信に使用されるリソース集合サブグループの時間-周波数リソース位置を含むことを特徴とする請求項１３から請求項１７のいずれか一項に記載の端末。
【請求項１９】
メモリ内のプログラムを読み取り、送受信機のニーズに応じてデータを処理するように構成されたプロセッサと、
プロセッサの制御下でデータを送受信するように構成された送受信機とを備え、
前記送受信機は、端末がダウンリンクデータを受信するための第１のリソース集合または第１のリソース集合グループの第１の時間-周波数リソース位置を取得できるように、リソース構成情報を前記端末に送信し、
前記端末が指示情報に基づいてダウンリンクデータを受信するための第２のリソース集合または第２のリソース集合グループの第２の時間-周波数リソース位置を決定するように、前記第１のリソース集合のすべてのリソース集合または各リソース集合、または第１のリソース集合グループのすべてのリソース集合サブグループまたは各リソース集合サブグループがダウンリンクデータの送信に使用されるかどうかを示すための前記指示情報を端末に送信し、前記第１のリソース集合グループは、少なくとも１つのリソース集合サブグループを含み、前記少なくとも１つのリソース集合サブグループには、少なくとも１つのリソース集合が含まれることを特徴とする基地局。
【請求項２０】
前記指示情報は、
グループ共通ＰＤＣＣＨまたはデータ伝送をスケジューリングするＵＥ専属ＤＣＩにより運ばれる、前記第１のリソース集合または第１のリソース集合グループのすべてのリソース集合がダウンリンクデータの送信にしようされることを示す指示情報、または、
グループ共通ＰＤＣＣＨまたはデータ伝送をスケジューリングするＵＥ専属ＤＣＩにより運ばれる、前記第１のリソース集合または第１のリソース集合グループのすべてのリソース集合がダウンリンクデータの送信に使用されない指示情報、または、
グループ共通ＰＤＣＣＨにより運ばれる、前記第１のリソース集合内の、ダウンリンクデータの送信に使用されないリソース集合およびダウンリンクデータの送信に使用されるリソース集合を示すビットマップ指示情報、または、
グループ共通ＰＤＣＣＨにより運ばれる、前記第１のリソース集合グループ内の、ダウンリンクデータの送信に使用されないリソース集合サブグループおよびダウンリンクデータの送信に使用されるリソース集合サブグループを示すビットマップ指示情報を含むことを特徴とする請求項１９に記載の基地局。
【請求項２１】
前記少なくとも１つのリソース集合内のいずれのリソース集合は、少なくとも１つの周波数領域上のＲＢおよび時間領域上の少なくとも１つのＯＦＤＭシンボルを含み、または少なくとも１つのＣＣＥを含み、または少なくとも１つのＣＣＥグループを含み、または少なくとも１つのＰＲＢグループを含み、または少なくとも１つのＲＥを含み、または少なくとも１つのＲＥグループを含むことを特徴とする請求項１９に記載の基地局。
【請求項２２】
前記少なくとも１つのリソース集合サブグループは、端末に送信された高位層シグナリングで運ばれる少なくとも１つのリソース集合をグルーピングするためのグルーピング情報により取得されることを特徴とする請求項１９に記載の基地局。
【請求項２３】
前記リソース構成情報は、端末に送信された高位層シグナリングで運ばれるリソース構成情報を含むことを特徴とする請求項１９に記載の基地局。
【請求項２４】
前記端末が前記指示情報に基づいてダウンリンクデータを受信するための第２のリソース集合または第２のリソース集合グループの第２の時間-周波数リソース位置を決定するように、前記第１のリソース集合のすべてのまたは第１のリソース集合グループのすべてのリソース集合がダウンリンクデータに送信に使用されないことを示す指示情報を端末に送信し、前記第１の時間-周波数リソース位置と前記第２の時間-周波数リソース位置は異なり、または、
前記端末が前記指示情報に基づいてダウンリンクデータを受信するための第２のリソース集合または第２のリソース集合グループの第２の時間-周波数リソース位置を決定するように、前記第１のリソース集合のすべてのまたは第１のリソース集合グループのすべてのリソース集合がダウンリンクデータの送信に使用されることを示す指示情報を端末に送信し、前記第１の時間-周波数リソース位置と前記第２の時間-周波数リソース位置が同じであり、または、
前記端末が前記指示情報に基づいてダウンリンクデータを受信するための第２のリソース集合または第２のリソース集合グループの第２の時間-周波数リソース位置を決定するように、前記第１のリソース集合内の、ダウンリンクデータの送信に使用されないリソース集合およびダウンリンクデータの送信に使用されるリソース集合を示すビットマップ指示情報を端末に送信し、前記第２の時間-周波数リソース位置は、前記第１のリソース集合内のダウンリンクデータの送信に使用されるリソース集合の時間-周波数リソース位置を含み、または、
前記端末が前記指示情報に基づいてダウンリンクデータを受信するための第２のリソース集合または第２のリソース集合グループの第２の時間-周波数リソース位置を決定するように、前記第１のリソース集合グループ内の、ダウンリンクデータの送信に使用されないリソース集合サブグループおよびダウンリンクデータの送信に使用されるリソース集合サブグループを示すビットマップ指示情報を端末に送信し、前記第２の時間-周波数リソース位置は、前記第１のリソース集合グループ内のダウンリンクデータの送信に使用されるリソース集合サブグループの時間-周波数リソース位置を含むことを特徴とする請求項１９から請求項２３のいずれか一項に記載の基地局。
【請求項２５】
受信された基地局によって送信されたリソース構成情報に基づいて、基地局によって端末に対して構成されたダウンリンクデータを受信するための第１のリソース集合または第１のリソース集合グループの第１の時間-周波数リソース位置を決定するように構成された第１の決定モジュールと、
受信された基地局によって送信された指示情報に基づいて、ダウンリンクデータを受信するための第２のリソース集合または第２のリソース集合グループの第２の時間-周波数リソース位置を決定するように構成された第２の決定モジュールとを備え、
前記指示情報は、前記第１のリソース集合のすべてのリソース集合または各リソース集合、または第１のリソース集合グループのすべてのリソース集合サブグループまたは各リソース集合サブグループがダウンリンクデータの送信に使用されるかどうかを示し、前記第１のリソース集合グループは、少なくとも１つのリソース集合サブグループを含み、前記少なくとも１つのリソース集合サブグループには、少なくとも１つのリソース集合が含まれることを特徴とする端末。
【請求項２６】
前記端末がダウンリンクデータを受信するための第１のリソース集合または第１のリソース集合グループの第１の時間-周波数リソース位置を取得できるように、リソース構成情報を端末に送信するように構成された第１の送信モジュールと、
端末が指示情報に基づいてダウンリンクデータを受信するための第２のリソース集合または第２のリソース集合グループの第２の時間-周波数リソースを決定するように、前記第１のリソース集合のすべてのリソース集合または各リソース集合、または第１のリソース集合グループのすべてのリソース集合サブグループまたは各リソース集合サブグループがダウンリンクデータの送信に使用されるかどうかを示すための前記指示情報を前記端末に送信するように構成された第２の送信モジュールとを備え、
前記第１のリソース集合グループは、少なくとも１つのリソース集合サブグループを含み、前記少なくとも１つのリソース集合サブグループには、少なくとも１つのリソース集合が含まれることを特徴とする基地局。
【請求項２７】
メモリに格納されたコンピュータプログラムを実行するときに、請求項１から請求項１２のいずれか一項に記載の方法のステップを実行するプロセッサを備えるコンピュータ装置。
【請求項２８】
プロセッサによって実行されると、請求項１から請求項１２のいずれか一項に記載の方法のステップを実行する、コンピュータプログラムを記憶するコンピュータ可読記憶媒体。
【発明の詳細な説明】
【技術分野】
【０００１】
［関連出願の相互参照］
本出願は、２０１７年９月１１日に中国特許局に提出し、出願番号が２０１７１０８１４２３３．９であり、発明名称が「ダウンリンクデータを送信するためのリソースを決定および構成する方法、端末および基地局」との中国特許出願を基礎とする優先権を主張し、その開示のすべてをここに取り込む。
【０００２】
［技術分野］
本発明は、通信技術分野に関し、特にダウンリンクデータを送信するためのリソースを決定および構成する方法、端末および基地局に関する。
【背景技術】
【０００３】
モバイルインターネットは、従来のモバイル通信サービスモードを破壊し、ユーザーに前例のない使用体験を提供し、人々の仕事と生活のすべての側面に深い影響を与えている。モバイルインターネットは、人間の社会情報対話方法のさらなるアップグレードを促進し、ユーザーに拡張現実、仮想現実、超高解像度（３Ｄ）ビデオ、モバイルクラウドなどのより豊かなサービス体験を提供する。モバイルインターネットのさらなる発展は、将来モバイルトラフィックの約１０００倍の増加をもたらし、モバイル通信技術と産業の新しいラウンドの変化を促進する。モノのインターネット（ＩｏＴ）は、モバイル通信のサービスの範囲を、人と人のコミュニケーションから、人と物の間、物と物の間のインテリジェントな相互接続に拡大し、モバイル通信技術をより広範囲の産業および分野に浸透させた。将来、モバイル医療、車両のインターネット、スマートホーム、産業用制御、環境監視などがＩｏＴアプリケーションの爆発的な成長を促進し、数千億のデバイスがネットワークにアクセスして真の「すべてのインターネット」を実現する。さらに、大規模なデバイスと多様なＩｏＴサービスの接続も、モバイル通信に新たな技術的課題をもたらす。
【０００４】
新しいサービス要件の継続的な出現および強化により、将来のモバイル通信システムには、より高いピークレート、より大きなユーザー経験率、より小さな遅延、より高い信頼性、より高いスペクトル効率およびより高いエネルギー効率などのより高い性能要求が課せられている。より多くのユーザーアクセスおよびさまざまな種類のサービスの使用をサポートする必要がある。多数のすべてのタイプの端末の接続とさまざまなサービスタイプをサポートするために、アップリンクリソースとダウンリンクリソースの柔軟な構成が技術開発の主要なトレンドとなっています。将来のシステムリソースは、さまざまなサービスに応じてさまざまなサブバンドに分割され、さまざまなサービス要件を満たすために、サブバンドをさまざまな長さのＴＴＩ（Ｔｒａｎｓｍｉｓｓｉｏｎ Ｔｉｍｅ Ｉｎｔｅｒｖａｌ，送信時間間隔）に分割する。
【０００５】
既存のＬＴＥ（Ｌｏｎｇ Ｔｅｒｍ Ｅｖｏｌｕｔｉｏｎ）ＦＤＤ（Ｆｒｅｑｕｅｎｃｙ Ｄｉｖｉｓｉｏｎ Ｄｕｐｌｅｘｉｎｇ，周波数分割複信）システムはＦＳ１（Ｆｒａｍｅ Ｓｔｒｕｃｔｕｒｅ Ｔｙｐｅ １，フレーム構造タイプ１）を使用し、その構造は図１に示す通りである。ＦＤＤシステムでは、アップリンク伝送とダウンリンク伝送は異なるキャリア周波数を使用し、同じフレーム構造を使用する。各キャリアで、長さが１０ミリ秒の無線フレームには１０の１ミリ秒サブフレームが含まれ、各サブフレームは長さが０.５ミリ秒の２つのタイムスロットに分割されます。アップリンクおよびダウンリンクのデータ送信のＴＴＩ期間は１ミリ秒である。
【０００６】
既存のＬＴＥ ＴＤＤ（Ｔｉｍｅ Ｄｉｖｉｓｉｏｎ Ｄｕｐｌｅｘｉｎｇ，時分割複信）システムはＦＳ２（Ｆｒａｍｅ Ｓｔｒｕｃｔｕｒｅ Ｔｙｐｅ ２，フレーム構造タイプ２）を使用し、その構造は図２に示される通りである。ＴＤＤシステムでは、アップリンクおよびダウンリンク送信は同じ周波数の異なるサブフレームまたは異なるスロットを使用するＦＳ２の各１０ｍｓ無線フレームは２つの５ｍｓハーフフレームで構成され、各ハーフフレームには５つの１ｍｓサブフレームが含まれる。ＦＳ２のサブフレームは、ダウンリンクサブフレーム、アップリンクサブフレーム、特殊サブフレームの３つのタイプに分類されます。各特殊サブフレームは、ＤｗＰＴＳ（Ｄｏｗｎｌｉｎｋ Ｐｉｌｏｔ Ｔｉｍｅ Ｓｌｏｔ、ダウンリンクパイロットタイムスロット）、ＧＰ（Ｇｕａｒｄ Ｐｅｒｉｏｄ，ガード期間）、およびＵｐＰＴＳ（Ｕｐｌｉｎｋ Ｐｉｌｏｔ Ｔｉｍｅ Ｓｌｏｔ，アップリンクパイロットタイムスロット）で構成される。ＤｗＰＴＳは、ダウンリンクパイロット、ダウンリンクサービスデータ、およびダウンリンク制御シグナリングを送信してもよい。ＧＰは信号を送信しない。ＵｐＰＴＳは、ランダムアクセスとＳＲＳ（Ｓｏｕｎｄｉｎｇ Ｒｅｆｅｒｅｎｃｅ Ｓｙｍｂｏｌ，サウンディングリファレンスシンボル）のみを送信し、アップリンクサービスまたはアップリンク制御情報を送信しない場合がある。各ハーフフレームには、少なくとも１つのダウンリンクサブフレーム、少なくとも１つのアップリンクサブフレーム、最大で１つの特別サブフレームが含まれる。ＦＳ２でサポートされる７つのアップリンクおよびダウンリンク構成方法は、表１に示すとおりである。
【０００７】
【表１】
2020533901.tif 000003
【０００８】
既存のＬＴＥにおける制御領域およびデータ領域は、以下のように分割される：
既存のＬＴＥシステムでは、１つのサブフレーム内のダウンリンク制御領域によって占有される時間領域リソースは、すべての端末について同じである。たとえば、ＰＤＣＣＨ（Ｐｈｙｓｉｃａｌ Ｄｏｗｎｌｉｎｋ Ｃｏｎｔｒｏｌ Ｃｈａｎｎｅｌ，物理ダウンリンク制御チャネル）の場合、ダウンリンク制御領域が占める時間領域リソースは、ブロードキャストチャネルのＰＣＦＩＣＨ（Ｐｈｙｓｉｃａｌ Ｃｏｎｔｒｏｌ Ｆｏｒｍａｔ Ｉｎｄｉｃａｔｏｒ Ｃｈａｎｎｅｌ，物理制御フォーマットインジケータチャネル）によって決定され、ＵＥ（ユーザー機器）はPCFICHによって通知されたダウンリンク制御領域において、自体のＤＣＩ（Ｄｏｗｎｌｉｎｋ Ｃｏｎｔｒｏｌ Ｉｎｆｏｒｍａｔｉｏｎ，ダウンリンク制御情報）を受信必要がある。ＥＰＤＣＣＨ（Ｅｎｈａｎｃｅｄ Ｐｈｙｓｉｃａｌ Ｄｏｗｎｌｉｎｋ Ｃｏｎｔｒｏｌ Ｃｈａｎｎｅｌ）の場合、ダウンリンク制御領域は時間領域でサブフレーム全体を完全に占有し、ＵＥはＲＲＣ（Ｒａｄｉｏ Ｒｅｓｏｕｒｃｅ Ｃｏｎｔｒｏｌ，無線リソース制御）によって設定されたＰＲＢ（Ｐｈｙｓｉｃａｌ Ｒｅｓｏｕｒｃｅ Ｂｌｏｃｋ ｓｅｔ，物理リソースブロック）セット内で独自のＤＣＩを受信する必要がある。したがって、ＬＴＥシステムでは、１つのＴＴＩ内で、すべての端末のダウンリンクデータチャネルの時間領域の開始位置が決定されている。
【発明の概要】
【発明が解決しようとする課題】
【０００９】
既存のＬＴＥシステムでは、１つのＴＴＩ内のダウンリンク制御領域およびデータ領域は、リソースにおいて互いに独立している。ダウンリンク制御チャネルは、マッピング中にダウンリンク制御領域の時間領域の位置全体を完全に占有する。ダウンリンクデータチャネルの時間内の開始位置が決定される。つまり、ダウンリンクデータチャネルは、TTIで制御領域を除く最初のＯＦＤＭ（Ｏｒｔｈｏｇｏｎａｌ Ｆｒｅｑｕｅｎｃｙ Ｄｉｖｉｓｉｏｎ Ｍｕｌｔｉｐｌｅｘｉｎｇ，直交周波数分割多重）シンボルからの送信を開始する。または、異なる周波数領域位置での最初のＯＦＤＭシンボルから送信を開始する。各端末のダウンリンク制御チャネルを送信するための制御リソース集合が独立して構成されている場合、他の端末の制御リソース集合の占有率は予測できないため、端末のダウンリンク制御チャネルの送信により占有されたリソースが他の端末の制御リソース集合と重複する場合、どう処理するのかの方法はまだ存在しない。したがって、ダウンリンクデータ伝送効率が比較的低いか、信頼性が低下する。
【００１０】
本発明の実施形態は、ダウンリンク制御チャネルを送信するための各端末の制御リソース集合が独立して構成されているため、他の端末の制御リソース集合の占有率を予測できず、端末のダウンリンクデータチャネル送信に占有されたリソースが他の端末的制御リソース集合と重複する場合、対応の処理ができず、ダウンリンクデータ伝送効率が比較的低いか、信頼性が低下する先行技術における技術的問題を解決するために、ダウンリンクデータを送信するためのリソースを決定および構成する方法、端末および基地局を提供する。
【課題を解決するための手段】
【００１１】
第１の態様では、本発明の実施形態は、端末側に適用されるダウンリンクデータを受信するためのリソースを決定する方法を提供する。前記方法は、
受信された基地局によって送信されたリソース構成情報に基づいて、基地局によって端末に対して構成されたダウンリンクデータを受信するための第１のリソース集合または第１のリソース集合グループの第１の時間-周波数リソース位置を決定するステップと、
受信された基地局によって送信された指示情報に基づいて、ダウンリンクデータを受信するための第２のリソース集合または第２のリソース集合グループの第２の時間-周波数リソース位置を決定するステップとを備え、
前記第１のリソース集合グループは、少なくとも１つのリソース集合サブグループを含み、前記少なくとも１つのリソース集合サブグループには、少なくとも１つのリソース集合が含まれ、
前記指示情報は、前記第１のリソース集合のすべてのリソース集合または各リソース集合、または第１のリソース集合グループのすべてのリソース集合サブグループまたは各リソース集合サブグループがダウンリンクデータの送信に使用されるかどうかを示す。
【００１２】
選択可能で、前記指示情報は、
受信された基地局によって送信されたグループ共通ＰＤＣＣＨまたはデータ伝送をスケジューリングするＵＥ専属ＤＣＩにより運ばれる、前記第１のリソース集合のすべてのリソース集合または第１のリソース集合グループのすべてのリソース集合サブグループがダウンリンクデータの送信に使用されることを示す指示情報、または、
受信された基地局によって送信されたグループ共通ＰＤＣＣＨまたはデータ伝送をスケジューリングするＵＥ専属ＤＣＩにより運ばれる、前記第１のリソース集合のすべてのリソース集合または第１のリソース集合グループのすべてのリソース集合サブグループがダウンリンクデータの送信に使用されないことを示す指示情報、または、
受信された基地局によって送信されたグループ共通ＰＤＣＣＨにより運ばれる、前記第１のリソース集合内の、ダウンリンクデータの送信に使用されないリソース集合およびダウンリンクデータの送信に使用されるリソース集合を示すビットマップ指示情報、または、
受信された基地局によって送信されたグループ共通ＰＤＣＣＨにより運ばれる、前記第１のリソース集合グループ内の、ダウンリンクデータの送信に使用されないリソース集合サブグループおよびダウンリンクデータの送信に使用されるリソース集合サブグループを示すビットマップ指示情報を含む。
【００１３】
選択可能で、前記少なくとも１つのリソース集合内のいずれのリソース集合は、少なくとも１つの周波数領域上のＲＢおよび時間領域上の少なくとも１つのＯＦＤＭシンボルを含み、または少なくとも１つのＣＣＥを含み、または少なくとも１つのＣＣＥグループを含み、または少なくとも１つのＰＲＢグループを含み、または少なくとも１つのＲＥを含み、または少なくとも１つのＲＥグループを含む。
【００１４】
選択可能で、前記少なくとも１つのリソース集合サブグループは、受信された基地局によって送信された高位層シグナリングで運ばれる少なくとも１つのリソース集合をグルーピングするためのグルーピング情報を通じて取得される。
【００１５】
選択可能で、前記リソース構成情報は、受信された基地局によって送信された高位層シグナリングで運ばれるリソース構成情報を含む。
【００１６】
選択可能で、前記受信された基地局によって送信された指示情報に基づいて、ダウンリンクデータを受信するための第２のリソース集合または第２のリソース集合グループの第２の時間-周波数リソース位置を決定し、前記指示情報は、前記第１のリソース集合のすべてのリソース集合または各リソース集合、または第１のリソース集合グループのすべてのリソース集合サブグループまたは各リソース集合サブグループがダウンリンクデータの送信に使用されるかどうかを示す場合、
基地局によって送信された前記第１のリソース集合のすべてのリソース集合または第１のリソース集合グループのすべてのリソース集合サブグループがダウンリンクデータの送信に使用されることを示す指示情報が受信されたとき、ダウンリンクデータを受信するための第２のリソース集合または第２のリソース集合グループの第２の時間-周波数リソース位置を決定し、前記第１の時間-周波数リソース位置と前記第２の時間-周波数リソース位置が同じであり、または、
前記基地局によって送信された前記第１のリソース集合のすべてのリソース集合または第１のリソース集合グループのすべてのリソース集合サブグループがダウンリンクデータの送信に使用されないことを示す指示情報が受信されたとき、ダウンリンクデータを受信するための第２のリソース集合または第２のリソース集合グループの第２の時間-周波数リソース位置を決定し、前記第１の時間-周波数リソース位置と前記第２の時間-周波数リソース位置は異なり、または、
基地局によって送信された前記第１のリソース集合内の、ダウンリンクデータの送信に使用されないリソース集合およびダウンリンクデータの送信に使用されるリソース集合を示すビットマップ指示情報が受信されたとき、前記ビットマップ指示情報に基づき、ダウンリンクデータを受信するための第２のリソース集合の第２の時間-周波数リソース位置を決定し、前記第２の時間-周波数リソース位置は、前記第１のリソース集合内のダウンリンクデータの送信に使用されるリソース集合の時間-周波数リソース位置を含み、または、
基地局によって送信された前記第１のリソース集合グループ内の、ダウンリンクデータの送信に使用されないリソース集合サブグループおよびダウンリンクデータの送信に使用されるリソース集合サブグループを示すビットマップ指示情報が受信されたとき、前記ビットマップ指示情報に基づき、ダウンリンクデータを受信するための第２のリソース集合グループの第２の時間-周波数リソース位置を決定し、前記第２の時間-周波数リソース位置は、前記第１のリソース集合グループ内のダウンリンクデータの送信に使用されるリソース集合サブグループの時間-周波数リソース位置を含む。
【００１７】
第２の態様では、本発明の実施形態に係る基地局側に適用されるダウンリンクデータを送信するためのリソースを構成する方法は、
前記端末がダウンリンクデータを受信するための第１のリソース集合または第１のリソース集合グループの第１の時間-周波数リソース位置を取得できるように、リソース構成情報を端末に送信するステップと、
前記端末が前記指示情報に基づいてダウンリンクデータを受信するための第２のリソース集合または第２のリソース集合グループの第２の時間-周波数リソース位置を決定するように、前記第１のリソース集合のすべてのリソース集合または各リソース集合、または第１のリソース集合グループのすべてのリソース集合サブグループまたは各リソース集合サブグループがダウンリンクデータの送信に使用されるかどうかを示すための指示情報を端末に送信するステップとを備え、
前記第１のリソース集合グループは、少なくとも１つのリソース集合サブグループを含み、前記少なくとも１つのリソース集合サブグループには、少なくとも１つのリソース集合が含まれる。
【００１８】
選択可能で、前記指示情報は、
グループ共通ＰＤＣＣＨまたはデータ伝送をスケジューリングするＵＥ専属ＤＣＩにより運ばれる、前記第１のリソース集合または第１のリソース集合グループのすべてのリソース集合がダウンリンクデータの送信にしようされることを示す指示情報、または、
グループ共通ＰＤＣＣＨまたはデータ伝送をスケジューリングするＵＥ専属ＤＣＩにより運ばれる、前記第１のリソース集合または第１のリソース集合グループのすべてのリソース集合がダウンリンクデータの送信に使用されない指示情報、または、
グループ共通ＰＤＣＣＨにより運ばれる、前記第１のリソース集合内の、ダウンリンクデータの送信に使用されないリソース集合およびダウンリンクデータの送信に使用されるリソース集合を示すビットマップ指示情報、または、
グループ共通ＰＤＣＣＨにより運ばれる、前記第１のリソース集合グループ内の、ダウンリンクデータの送信に使用されないリソース集合サブグループおよびダウンリンクデータの送信に使用されるリソース集合サブグループを示すビットマップ指示情報を含む。
【００１９】
選択可能で、前記少なくとも１つのリソース集合内のいずれのリソース集合は、少なくとも１つの周波数領域上のＲＢおよび時間領域上の少なくとも１つのＯＦＤＭシンボルを含み、または少なくとも１つのＣＣＥを含み、または少なくとも１つのＣＣＥグループを含み、または少なくとも１つのＰＲＢグループを含み、または少なくとも１つのＲＥを含み、または少なくとも１つのＲＥグループを含む。
【００２０】
選択可能で、前記少なくとも１つのリソース集合サブグループは、端末に送信された高位層シグナリングで運ばれる少なくとも１つのリソース集合をグルーピングするためのグルーピング情報により取得される。
【００２１】
選択可能で、前記リソース構成情報は、端末に送信された高位層シグナリングで運ばれるリソース構成情報を含む。
【００２２】
選択可能で、前記端末が前記指示情報に基づいてダウンリンクデータを受信するための第２のリソース集合または第２のリソース集合グループの第２の時間-周波数リソース位置を決定するように、前記第１のリソース集合のすべてのリソース集合または各リソース集合、または第１のリソース集合グループのすべてのリソース集合サブグループまたは各リソース集合サブグループがダウンリンクデータの送信に使用されるかどうかを示すための指示情報を端末に送信する場合、
前記端末が前記指示情報に基づいてダウンリンクデータを受信するための第２のリソース集合または第２のリソース集合グループの第２の時間-周波数リソース位置を決定するように、前記第１のリソース集合のすべてのまたは第１のリソース集合グループのすべてのリソース集合がダウンリンクデータに送信に使用されないことを示す指示情報を端末に送信し、前記第１の時間-周波数リソース位置と前記第２の時間-周波数リソース位置は異なり、または、
前記端末が前記指示情報に基づいてダウンリンクデータを受信するための第２のリソース集合または第２のリソース集合グループの第２の時間-周波数リソース位置を決定するように、前記第１のリソース集合のすべてのまたは第１のリソース集合グループのすべてのリソース集合がダウンリンクデータの送信に使用されることを示す指示情報を端末に送信し、前記第１の時間-周波数リソース位置と前記第２の時間-周波数リソース位置が同じであり、または、
前記端末が前記指示情報に基づいてダウンリンクデータを受信するための第２のリソース集合または第２のリソース集合グループの第２の時間-周波数リソース位置を決定するように、前記第１のリソース集合内の、ダウンリンクデータの送信に使用されないリソース集合およびダウンリンクデータの送信に使用されるリソース集合を示すビットマップ指示情報を端末に送信し、前記第２の時間-周波数リソース位置は、前記第１のリソース集合内のダウンリンクデータの送信に使用されるリソース集合の時間-周波数リソース位置を含み、または、
前記端末が前記指示情報に基づいてダウンリンクデータを受信するための第２のリソース集合または第２のリソース集合グループの第２の時間-周波数リソース位置を決定するように、前記第１のリソース集合グループ内の、ダウンリンクデータの送信に使用されないリソース集合サブグループおよびダウンリンクデータの送信に使用されるリソース集合サブグループを示すビットマップ指示情報を端末に送信し、前記第２の時間-周波数リソース位置は、前記第１のリソース集合グループ内のダウンリンクデータの送信に使用されるリソース集合サブグループの時間-周波数リソース位置を含む。
【００２３】
第３の態様では、本発明の実施形態に係る端末は、
受信された基地局によって送信されたリソース構成情報に基づいて、基地局によって端末に対して構成されたダウンリンクデータを受信するための第１のリソース集合または第１のリソース集合グループの第１の時間-周波数リソース位置を決定するように構成された第１の決定モジュールと、
受信された基地局によって送信された指示情報に基づいて、ダウンリンクデータを受信するための第２のリソース集合または第２のリソース集合グループの第２の時間-周波数リソース位置を決定するように構成された第２の決定モジュールとを備え、
前記指示情報は、前記第１のリソース集合のすべてのリソース集合または各リソース集合、または第１のリソース集合グループのすべてのリソース集合サブグループまたは各リソース集合サブグループがダウンリンクデータの送信に使用されるかどうかを示し、前記第１のリソース集合グループは、少なくとも１つのリソース集合サブグループを含み、前記少なくとも１つのリソース集合サブグループには、少なくとも１つのリソース集合が含まれる。
【００２４】
選択可能で、前記指示情報は、
受信された基地局によって送信されたグループ共通ＰＤＣＣＨまたはデータ伝送をスケジューリングするＵＥ専属ＤＣＩにより運ばれる、前記第１のリソース集合のすべてのリソース集合または第１のリソース集合グループのすべてのリソース集合サブグループがダウンリンクデータの送信に使用されることを示す指示情報、または、
受信された基地局によって送信されたグループ共通ＰＤＣＣＨまたはデータ伝送をスケジューリングするＵＥ専属ＤＣＩにより運ばれる、前記第１のリソース集合のすべてのリソース集合または第１のリソース集合グループのすべてのリソース集合サブグループがダウンリンクデータの送信に使用されないことを示す指示情報、または、
受信された基地局によって送信されたグループ共通ＰＤＣＣＨにより運ばれる、前記第１のリソース集合内の、ダウンリンクデータの送信に使用されないリソース集合およびダウンリンクデータの送信に使用されるリソース集合を示すビットマップ指示情報、または、
受信された基地局によって送信されたグループ共通ＰＤＣＣＨにより運ばれる、前記第１のリソース集合グループ内の、ダウンリンクデータの送信に使用されないリソース集合サブグループおよびダウンリンクデータの送信に使用されるリソース集合サブグループを示すビットマップ指示情報を含む。
【００２５】
選択可能で、前記少なくとも１つのリソース集合内のいずれのリソース集合は、少なくとも１つの周波数領域上のＲＢおよび時間領域上の少なくとも１つのＯＦＤＭシンボルを含み、または少なくとも１つのＣＣＥを含み、または少なくとも１つのＣＣＥグループを含み、または少なくとも１つのＰＲＢグループを含み、または少なくとも１つのＲＥを含み、または少なくとも１つのＲＥグループを含む。
【００２６】
選択可能で、前記少なくとも１つのリソース集合サブグループは、受信された基地局によって送信された高位層シグナリングで運ばれる少なくとも１つのリソース集合をグルーピングするためのグルーピング情報を通じて取得される。
【００２７】
選択可能で、前記リソース構成情報は、受信された基地局によって送信された高位層シグナリングで運ばれるリソース構成情報を含む。
【００２８】
選択可能で、前記第２の決定モジュールは、
基地局によって送信された前記第１のリソース集合のすべてのリソース集合または第１のリソース集合グループのすべてのリソース集合サブグループがダウンリンクデータの送信に使用されることを示す指示情報が受信されたとき、ダウンリンクデータを受信するための第２のリソース集合または第２のリソース集合グループの第２の時間-周波数リソース位置を決定するように構成された第１の決定サブモジュールであって、前記第１の時間-周波数リソース位置と前記第２の時間-周波数リソース位置が同じである前記第１の決定サブモジュールと、または、
前記基地局によって送信された前記第１のリソース集合のすべてのリソース集合または第１のリソース集合グループのすべてのリソース集合サブグループがダウンリンクデータの送信に使用されないことを示す指示情報が受信されたとき、ダウンリンクデータを受信するための第２のリソース集合または第２のリソース集合グループの第２の時間-周波数リソース位置を決定するように構成された第２の決定サブモジュールであって、前記第１の時間-周波数リソース位置と前記第２の時間-周波数リソース位置は異なる前記第２の決定サブモジュールと、または、
基地局によって送信された前記第１のリソース集合内の、ダウンリンクデータの送信に使用されないリソース集合およびダウンリンクデータの送信に使用されるリソース集合を示すビットマップ指示情報が受信されたとき、前記ビットマップ指示情報に基づき、ダウンリンクデータを受信するための第２のリソース集合の第２の時間-周波数リソース位置を決定するように構成された第３の決定サブモジュールであって、前記第２の時間-周波数リソース位置は、前記第１のリソース集合内のダウンリンクデータの送信に使用されるリソース集合の時間-周波数リソース位置を含む前記第３の決定サブモジュールと、または、
基地局によって送信された前記第１のリソース集合グループ内の、ダウンリンクデータの送信に使用されないリソース集合サブグループおよびダウンリンクデータの送信に使用されるリソース集合サブグループを示すビットマップ指示情報が受信されたとき、前記ビットマップ指示情報に基づき、ダウンリンクデータを受信するための第２のリソース集合グループの第２の時間-周波数リソース位置を決定するように構成された第４の決定サブモジュールであって、前記第２の時間-周波数リソース位置は、前記第１のリソース集合グループ内のダウンリンクデータの送信に使用されるリソース集合サブグループの時間-周波数リソース位置を含む前記第４の決定サブモジュールとを含む。
【００２９】
第４の態様では、本発明の実施形態に係る基地局は、
前記端末がダウンリンクデータを受信するための第１のリソース集合または第１のリソース集合グループの第１の時間-周波数リソース位置を取得できるように、リソース構成情報を端末に送信するように構成された第１の送信モジュールと、
前記端末が前記指示情報に基づいてダウンリンクデータを受信するための第２のリソース集合または第２のリソース集合グループの第２の時間-周波数リソースを決定するように、前記第１のリソース集合のすべてのリソース集合または各リソース集合、または第１のリソース集合グループのすべてのリソース集合サブグループまたは各リソース集合サブグループがダウンリンクデータの送信に使用されるかどうかを示すための指示情報を端末に送信するように構成された第２の送信モジュールとを備え、
前記第１のリソース集合グループは、少なくとも１つのリソース集合サブグループを含み、前記少なくとも１つのリソース集合サブグループには、少なくとも１つのリソース集合が含まれる。
【００３０】
選択可能で、前記指示情報は、
グループ共通ＰＤＣＣＨまたはデータ伝送をスケジューリングするＵＥ専属ＤＣＩにより運ばれる、前記第１のリソース集合または第１のリソース集合グループのすべてのリソース集合がダウンリンクデータの送信にしようされることを示す指示情報、または、
グループ共通ＰＤＣＣＨまたはデータ伝送をスケジューリングするＵＥ専属ＤＣＩにより運ばれる、前記第１のリソース集合または第１のリソース集合グループのすべてのリソース集合がダウンリンクデータの送信に使用されない指示情報、または、
グループ共通ＰＤＣＣＨにより運ばれる、前記第１のリソース集合内の、ダウンリンクデータの送信に使用されないリソース集合およびダウンリンクデータの送信に使用されるリソース集合を示すビットマップ指示情報、または、
グループ共通ＰＤＣＣＨにより運ばれる、前記第１のリソース集合グループ内の、ダウンリンクデータの送信に使用されないリソース集合サブグループおよびダウンリンクデータの送信に使用されるリソース集合サブグループを示すビットマップ指示情報を含む。
【００３１】
選択可能で、前記少なくとも１つのリソース集合内のいずれのリソース集合は、少なくとも１つの周波数領域上のＲＢおよび時間領域上の少なくとも１つのＯＦＤＭシンボルを含み、または少なくとも１つのＣＣＥを含み、または少なくとも１つのＣＣＥグループを含み、または少なくとも１つのＰＲＢグループを含み、または少なくとも１つのＲＥを含み、または少なくとも１つのＲＥグループを含む。
【００３２】
選択可能で、前記少なくとも１つのリソース集合サブグループは、端末に送信された高位層シグナリングで運ばれる少なくとも１つのリソース集合をグルーピングするためのグルーピング情報により取得される。
【００３３】
選択可能で、前記リソース構成情報は、端末に送信された高位層シグナリングで運ばれるリソース構成情報を含む。
【００３４】
選択可能で、前記第２の送信モジュールは、
ダウンリンクデータを受信するための第２のリソース集合または第２のリソース集合グループの第２の時間-周波数リソース位置を決定するように、前記第１のリソース集合のすべてのまたは第１のリソース集合グループのすべてのリソース集合がダウンリンクデータに送信に使用されないことを示す指示情報を端末に送信するように構成された第１の送信サブモジュールであって、前記第１の時間-周波数リソース位置と前記第２の時間-周波数リソース位置は異なる前記第１の送信サブモジュール、または、
前記端末が前記指示情報に基づいてダウンリンクデータを受信するための第２のリソース集合または第２のリソース集合グループの第２の時間-周波数リソース位置を決定するように、前記第１のリソース集合のすべてのまたは第１のリソース集合グループのすべてのリソース集合がダウンリンクデータの送信に使用されることを示す指示情報を端末に送信するように構成された第２の送信サブモジュールであって、前記第１の時間-周波数リソース位置と前記第２の時間-周波数リソース位置が同じである前記第２の送信サブモジュール、または、
前記端末が前記指示情報に基づいてダウンリンクデータを受信するための第２のリソース集合または第２のリソース集合グループの第２の時間-周波数リソース位置を決定するように、前記第１のリソース集合内の、ダウンリンクデータの送信に使用されないリソース集合およびダウンリンクデータの送信に使用されるリソース集合を示すビットマップ指示情報を端末に送信するように構成された第３の送信サブモジュールであって、前記第２の時間-周波数リソース位置は、前記第１のリソース集合内のダウンリンクデータの送信に使用されるリソース集合の時間-周波数リソース位置を含む前記第３の送信サブモジュール、または、
前記端末が前記指示情報に基づいてダウンリンクデータを受信するための第２のリソース集合または第２のリソース集合グループの第２の時間-周波数リソース位置を決定するように、前記第１のリソース集合グループ内の、ダウンリンクデータの送信に使用されないリソース集合サブグループおよびダウンリンクデータの送信に使用されるリソース集合サブグループを示すビットマップ指示情報を端末に送信するように構成された第４の送信サブモジュールであって、前記第２の時間-周波数リソース位置は、前記第１のリソース集合グループ内のダウンリンクデータの送信に使用されるリソース集合サブグループの時間-周波数リソース位置を含む前記第４の送信サブモジュールを含む。
【００３５】
第５の態様では、本発明の実施形態は、メモリに格納されたコンピュータプログラムを実行するときに、第１の態様に係る実施形態および第２の態様に係る実施形態の前記方法のステップを実行するプロセッサを備えるコンピュータ装置。
【００３６】
第６の態様では、本発明の実施形態は、プロセッサによって実行されると、第１の態様に係る実施形態および第２の態様に係る実施形態の前記方法のステップを実行する、コンピュータプログラムを記憶するコンピュータ可読記憶媒体を提供する。
【００３７】
第７の態様では、本発明の実施形態に係る端末は、
メモリ内のプログラムを読み取り、次のプロセスを実行するように構成されたプロセッサと、
プロセッサの制御下でデータを送受信するように構成された送受信機とを備え、
前記プロセッサは、受信された基地局によって送信されたリソース構成情報に基づいて、基地局によって端末に対して構成されたダウンリンクデータを受信するための第１のリソース集合または第１のリソース集合グループの第１の時間-周波数リソース位置を決定し、
受信された基地局によって送信された指示情報に基づいて、ダウンリンクデータを受信するための第２のリソース集合または第２のリソース集合グループの第２の時間-周波数リソース位置を決定し、前記指示情報は、前記第１のリソース集合のすべてのリソース集合または各リソース集合、または第１のリソース集合グループのすべてのリソース集合サブグループまたは各リソース集合サブグループがダウンリンクデータの送信に使用されるかどうかを示し、前記第１のリソース集合グループは、少なくとも１つのリソース集合サブグループを含み、前記少なくとも１つのリソース集合サブグループには、少なくとも１つのリソース集合が含まれる。
【００３８】
第８の態様では、本発明の実施形態に係る基地局は、
メモリ内のプログラムを読み取り、送受信機のニーズに応じてデータを処理するように構成されたプロセッサと、
プロセッサの制御下でデータを送受信するように構成された送受信機とを備え、
前記送受信機は、前記端末がダウンリンクデータを受信するための第１のリソース集合または第１のリソース集合グループの第１の時間-周波数リソース位置を取得できるように、リソース構成情報を端末に送信し、
前記端末が前記指示情報に基づいてダウンリンクデータを受信するための第２のリソース集合または第２のリソース集合グループの第２の時間-周波数リソース位置を決定するように、前記第１のリソース集合のすべてのリソース集合または各リソース集合、または第１のリソース集合グループのすべてのリソース集合サブグループまたは各リソース集合サブグループがダウンリンクデータの送信に使用されるかどうかを示すための指示情報を端末に送信し、前記第１のリソース集合グループは、少なくとも１つのリソース集合サブグループを含み、前記少なくとも１つのリソース集合サブグループには、少なくとも１つのリソース集合が含まれる。
【発明の効果】
【００３９】
本発明の実施形態で提供される１つ以上の技術的解決策は、少なくとも以下の技術的効果または利点を有する。
【００４０】
本発明の実施形態における技術的解決策の採用により、ダウンリンクデータを送信するためのリソースの利用率を増加させることができ、受信エラーの確率を低減することができ、端末側および基地局側でのデータ送受信挙動の不整合を回避することができ、ユーザーエクスペリエンスが向上する。
【図面の簡単な説明】
【００４１】
【図１】従来技術におけるLTE FDDシステムで使用されるフレーム構造の概略図である。
【図２】従来技術におけるLTE TDDシステムで使用されるフレーム構造の概略図である。
【図３】本発明の実施形態により提供される、ダウンリンクデータを受信するためのリソースを決定する方法のフロー図である。
【図４】本発明の実施形態により提供される、ダウンリンクデータを送信するためのリソースの第１の概略図である。
【図５】本発明の実施形態により提供される、ダウンリンクデータを送信するためのリソースの第２の概略図である。
【図６】本発明の実施形態により提供される、ダウンリンクデータを送信するためのリソースを構成する方法のフロー図である。
【図７】本発明の実施形態により提供される、端末の概略図である。
【図８】本発明の実施形態により提供される、基地局の概略図である。
【発明を実施するための形態】
【００４２】
上記の技術的問題を解決するために、本発明の実施形態における技術的解決策の一般的な考え方は以下の通りである：
【００４３】
ダウンリンクデータを送信するためのリソースを決定および構成する方法は、受信された基地局によって送信されたリソース構成情報に基づいて、基地局によって端末に対して構成されたダウンリンクデータを受信するための第１のリソース集合または第１のリソース集合グループの第１の時間-周波数リソース位置を決定するステップと、受信された基地局によって送信された指示情報に基づいて、ダウンリンクデータを受信するための第２のリソース集合または第２のリソース集合グループの第２の時間-周波数リソース位置を決定するステップとを備え、前記指示情報は、前記第１のリソース集合のすべてのリソース集合または各リソース集合、または第１のリソース集合グループのすべてのリソース集合サブグループまたは各リソース集合サブグループがダウンリンクデータの送信に使用されるかどうかを示し、前記第１のリソース集合グループは、少なくとも１つのリソース集合サブグループを含み、前記少なくとも１つのリソース集合サブグループには、少なくとも１つのリソース集合が含まれる。
【００４４】
本発明の実施形態における技術的解決策によれば、基地局は、各端末のダウンリンクデータを受信するためのリソース集合またはリソース集合サブグループを構成し、その後、基地局は、すべてのリソース集合または構成されたリソース集合の各リソース集合、またはすべてのリソース集合サブグループ、または構成されたリソース集合サブグループの各リソース集合サブグループが使用可能であるかどうかを、明示的なシグナリングの方法で端末に通知し、端末が通知に従って、ダウンリンクデータを受信するためのリソースの周波数リソース位置を決定するようになり、したがって、端末は、当該決定されたリソースにおいてレートマッチングを実行してもよい。
【００４５】
上記の技術的解決策をよりよく理解するために、上記の技術的解決策を、添付の図面および本発明の特定の実施方式と組み合わせて以下で詳細に説明する。
【００４６】
図３に示すように、本発明の実施形態Ｉは、端末側に適用されるダウンリンクデータを受信するためのリソースを決定する方法を提供する。当該方法には以下のステップが含まれる：
Ｓ１０１において、受信された基地局によって送信されたリソース構成情報に基づいて、基地局によって端末に対して構成されたダウンリンクデータを受信するための第１のリソース集合または第１のリソース集合グループの第１の時間-周波数リソース位置を決定する。
【００４７】
Ｓ１０２において、受信された基地局によって送信された指示情報に基づいて、ダウンリンクデータを受信するための第２のリソース集合または第２のリソース集合グループの第２の時間-周波数リソース位置を決定し、前記指示情報は、前記第１のリソース集合のすべてのリソース集合または各リソース集合、または第１のリソース集合グループのすべてのリソース集合サブグループまたは各リソース集合サブグループがダウンリンクデータの送信に使用されるかどうかを示し、前記第１のリソース集合グループは、少なくとも１つのリソース集合サブグループを含み、前記少なくとも１つのリソース集合サブグループには、少なくとも１つのリソース集合が含まれる。
【００４８】
Ｓ１０１の場合、リソース構成情報は、受信された基地局によって送信された高位層シグナリングで運ばれるリソース構成情報であることができる。端末側は、リソース構成情報に従って、基地局によって端末に対して構成された、ダウンリンクデータを受信するための第１のリソース集合または第１のリソース集合グループの時間-周波数リソース位置を取得することができる。例えば、端末は、高位層シグナリングで運ばれるリソース構成情報を受信した後に、ダウンリンクデータを受信するために基地局によって端末に対して構成された第１のリソース集合または第１のリソース集合グループの時間-周波数リソース位置を取得する。
【００４９】
具体的には、第１のリソース集合または第１のリソース集合グループは、基地局によって端末のために予約された、ダウンリンクデータ（ダウンリンク制御チャネルなど）を送信するために使用される可能性があるリソース集合またはリソース集合サブグループである。
【００５０】
前記少なくとも１つのリソース集合内のいずれのリソース集合は、少なくとも１つの周波数領域上のＲＢ（ｒｅｓｏｕｒｃｅ ｂｌｏｃｋ，リソースブロック）および時間領域上の少なくとも１つのＯＦＤＭシンボルを含み、または少なくとも１つのＣＣＥ（Ｃｏｎｔｒｏｌ Ｃｈａｎｎｅｌ Ｅｌｅｍｅｎｔ，制御チャネル要素）を含み、または少なくとも１つのＣＣＥグループを含み、または少なくとも１つのＰＲＢ（ｐｈｙｓｉｃａｌ ｒｅｓｏｕｒｃｅ ｂｌｏｃｋ，物理リソースブロック）グループを含み、または少なくとも１つのＲＥ（ｒｅｓｏｕｒｃｅ ｅｌｅｍｅｎｔ，リソース要素），または少なくとも１つのＲＥグループを含む。
【００５１】
前記第１のリソース集合グループは、少なくとも１つのリソース集合サブグループを含み、前記少なくとも１つのリソース集合サブグループには、少なくとも１つのリソース集合が含まれる。同様に、当該少なくとも１つのリソース集合内のいずれのリソース集合は、少なくとも１つの周波数領域上のＲＢ以及時間領域上の少なくとも１つのＯＦＤＭシンボルを含み、または少なくとも１つのＣＣＥを含み、または少なくとも１つのＣＣＥグループを含み、または少なくとも１つのＰＲＢグループを含み、または少なくとも１つのＲＥを含み、または少なくとも１つのＲＥグループを含む。ここで、任意のリソース集合の特定の構成は単なる例であり、上記のいくつかの構成方法に限定されない。任意のリソース集合は、他の粒度のリソースで構成することもできる。
【００５２】
ここで、少なくとも１つのリソース集合サブグループは、受信された基地局によって送信された高位層シグナリングで運ばれる少なくとも１つのリソース集合をグルーピングするためのグルーピング情報を通じて取得される。具体的には、例えば、基地局によって端末に送信される高位層シグナリングで運ばれる上記リソース構成情報に加えて、当該リソース構成情報で端末に対して構成されたリソースがリソース集合サブグループである場合、基地局は実際のニーズに応じて前記少なくとも１つのリソース集合をグルーピングする。各リソース集合サブグループには、少なくとも１つのリソース集合が含まれる。当該高位層シグナリングは、少なくとも１つのリソース集合をグルーピングするためのグルーピング情報を運ぶことができる。端末は、受信したリソース構成情報および高位層シグナリングで運ばれるグルーピング情報に従って、基地局によって構成されたリソースの時間-周波数リソース位置を取得することができる。もちろん、別の場合として、リソース構成情報には、基地局によって端末に対して構成されたリソース（例えば、リソース集合またはリソース集合サブグループ）の時間-周波数リソース位置に加えて、基地局によって端末に対して構成されたリソースのグルーピング情報も含めることができる。
【００５３】
Ｓ１０１が実行された後、Ｓ１０２が実行される。S１０２の場合、指示情報の伝達には、次のいくつかの異なる実施方式が含まれる。
【００５４】
方式１：端末により受信された基地局によって送信されたグループ共通ＰＤＣＣＨにより運ばれる指示情報。具体的には、前記グループ共通ＰＤＣＣＨにより運ばれる指示情報は、１つ以上のｓｌｏｔ（スロット）内の基地局によって構成されたリソース集合のすべてのリソース集合または各リソース集合、またはリソース集合サブグループのすべてのリソース集合サブグループまたはリソース集合サブグループがデータ伝送に使用可能であるかどうかを示す。
【００５５】
方式２：端末により受信された基地局によって送信されたデータ伝送をスケジューリングするＵＥ専属ＤＣＩで運ばれる指示情報。具体的には、前記グループ共通ＰＤＣＣＨにより運ばれる指示情報は、１つ以上のｓｌｏｔ内の基地局によって構成されたリソース集合のすべてのリソース集合、またはリソース集合サブグループのすべてのリソース集合サブグループがデータ伝送に使用可能であるかどうかを示す。
【００５６】
方式１の場合、指示情報は、以下のいくつかの実施方式を含み得る：
方式１ａ：受信された基地局によって送信されたグループ共通ＰＤＣＣＨにより運ばれる、前記第１のリソース集合のすべてのリソース集合または第１のリソース集合グループのすべてのリソース集合サブグループがダウンリンクデータの送信に使用されることを示す指示情報、
受信された基地局によって送信されたグループ共通ＰＤＣＣＨにより運ばれる、前記第１のリソース集合のすべてのリソース集合または第１のリソース集合グループのすべてのリソース集合サブグループがダウンリンクデータの送信に使用されないことを示す指示情報。
【００５７】
方式１ｂ：受信された基地局によって送信されたグループ共通ＰＤＣＣＨにより運ばれる、前記第１のリソース集合内の、ダウンリンクデータの送信に使用されないリソース集合およびダウンリンクデータの送信に使用されるリソース集合を示すビットマップ指示情報。
【００５８】
方式１ｃ：受信された基地局によって送信されたグループ共通ＰＤＣＣＨにより運ばれる、前記第１のリソース集合グループ内の、ダウンリンクデータの送信に使用されないリソース集合サブグループおよびダウンリンクデータの送信に使用されるリソース集合サブグループを示すビットマップ指示情報。
【００５９】
方式１ａについて、Ｓ１０２は具体的に：
基地局によって送信された前記第１のリソース集合のすべてのリソース集合または第１のリソース集合グループのすべてのリソース集合サブグループがダウンリンクデータの送信に使用されることを示す指示情報が受信されたとき、ダウンリンクデータを受信するための第２のリソース集合または第２のリソース集合グループの第２の時間-周波数リソース位置を決定し、前記第１の時間-周波数リソース位置と前記第２の時間-周波数リソース位置が同じであり、
前記基地局によって送信された前記第１のリソース集合のすべてのリソース集合または第１のリソース集合グループのすべてのリソース集合サブグループがダウンリンクデータの送信に使用されないことを示す指示情報が受信されたとき、ダウンリンクデータを受信するための第２のリソース集合または第２のリソース集合グループの第２の時間-周波数リソース位置を決定し、前記第１の時間-周波数リソース位置と前記第２の時間-周波数リソース位置は異なる。
【００６０】
具体的には、グループ共通ＰＤＣＣＨにより運ばれる指示情報は１ビットの指示情報であると想定され、当該指示情報は、ダウンリンクデータを受信するための端末の時間−周波数リソースを示すために使用される。
【００６１】
当該指示情報は１または０である。１は、前記第１のリソース集合のすべてのリソース集合または第１のリソース集合グループのすべてのリソース集合サブグループがダウンリンクデータの伝送に使用されることを示す。０は、前記第１のリソース集合のすべてのリソース集合または第１のリソース集合グループのすべてのリソース集合サブグループがダウンリンクデータの伝送にしようできないことを示す。
【００６２】
基地局によって端末に対して構成された予約リソースが第１のリソース集合（または第１のリソース集合グループ）であり、かつ端末により受信された指示情報が１であれば、端末は、ダウンリンクデータを受信するためのリソースを第１のリソース集合（または第１のリソース集合グループ）として決定する。
【００６３】
基地局によって端末に対して構成された予約リソースが第１のリソース集合（または第１のリソース集合グループ）であり、かつ端末受信された指示情報が０であれば、端末は、ダウンリンクデータを受信するためのリソースを、第１のリソース集合（または第１のリソース集合グループ）を除く他のリソース集合（またはリソース集合サブグループ）として決定する。
【００６４】
そして、端末は、決定されたリソース集合（またはリソース集合サブグループ）においてレートマッチングを実行する。
【００６５】
方式１ｂおよび方法１ｃの場合、グループ共通ＰＤＣＣＨで運ばれる指示情報は、ｂｉｔｍａｐ（ビットマップ）方式でダウンリンクデータを伝送するためのリソース位置を示し、当該指示情報はビットマップ指示情報である。Ｓ１０２は具体的に以下とおりである：
基地局によって送信された前記第１のリソース集合内の、ダウンリンクデータの送信に使用されないリソース集合およびダウンリンクデータの送信に使用されるリソース集合を示すビットマップ指示情報が受信されたとき、前記ビットマップ指示情報に基づき、ダウンリンクデータを受信するための第２のリソース集合の第２の時間-周波数リソース位置を決定し、前記第２の時間-周波数リソース位置は、前記第１のリソース集合内のダウンリンクデータの送信に使用されるリソース集合の時間-周波数リソース位置を含み、
基地局によって送信された前記第１のリソース集合グループ内の、ダウンリンクデータの送信に使用されないリソース集合サブグループおよびダウンリンクデータの送信に使用されるリソース集合サブグループを示すビットマップ指示情報が受信されたとき、前記ビットマップ指示情報に基づき、ダウンリンクデータを受信するための第２のリソース集合グループの第２の時間-周波数リソース位置を決定し、前記第２の時間-周波数リソース位置は、前記第１のリソース集合グループ内のダウンリンクデータの送信に使用されるリソース集合サブグループの時間-周波数リソース位置を含む。
【００６６】
具体的には、ビットマップ指示情報は、具体的には、例えば、ｂｉｔｍａｐである。当該ビットマップのデータ長は、高位層シグナリングを通じて基地局によって端末に対して構成されたリソース集合の数またはリソース集合サブグループの数に従って決定される。例えば、高位層シグナリングにより基地局によって端末に対して構成されたリソース集合の数またはリソース集合サブグループの数がQである場合、前記ｂｉｔｍａｐはQビットで構成され、各ビットは１つのリソース集合または１つのリソース集合サブグループに対応する。例えば、ｂｉｔｍａｐの状態は８ビットの０１ ０００ １００である。これは、高位層シグナリングにより基地局によって端末に対して構成された第１のリソース集合（または第１のリソース集合グループ）が{１，２，３，４，５，６，７，８}であり、ｂｉｔｍａｐの最上位ビットが番号が１であるリソース集合を示し、このように類推して、ｂｉｔｍａｐの最下位ビットが番号が８であるリソース集合を示す。１はこのリソース集合が使用可能であることを示し、０はこのリソース集合が使用できないことを示す。したがって、ｂｉｔｍａｐの状態は、端末がビット番号を２とするリソース集合およびビット番号を６とするリソース集合を使用してダウンリンクデータを受信できることを示す。
【００６７】
さらに、端末が前記グループ共通ＰＤＣＣＨの受信に成功しなかった場合、またはグループ共通ＰＤＣＣＨを検出および受信しないように基地局によって構成された場合、端末は特定の挙動に従ってデータを受信する。具体的には、高位層シグナリングで構成されたすべてのリソース集合またはすべてのリソース集合サブグループが、ダウンリンクデータの伝送に使用されると考えることができる。または、高位層シグナリングで構成されたすべてのリソース集合またはすべてのリソース集合サブグループが、ダウンリンクデータの伝送に使用されていないと見なすことができる。
【００６８】
方式２の場合、指示情報の実施方法は以下のとおりであり得る：
受信された基地局によって送信されたデータ伝送をスケジューリングするＵＥ専属ＤＣＩで運ばれる前記第１のリソース集合または第１のリソース集合グループのすべてのリソース集合がダウンリンクデータの送信にしようされることを示す指示情報、 
受信された基地局によって送信されたデータ伝送をスケジューリングするＵＥ専属ＤＣＩで運ばれる前記第１のリソース集合または第１のリソース集合グループのすべてのリソース集合がダウンリンクデータの送信に使用されない指示情報。
【００６９】
方式２について、Ｓ１０２は具体的に：
基地局によって送信された前記第１のリソース集合のすべてのまたは第１のリソース集合グループのすべてのリソース集合がダウンリンクデータの送信に使用されることを示す指示情報が受信されたとき、ダウンリンクデータを受信するための第２のリソース集合または第２のリソース集合グループの第２の時間-周波数リソース位置を決定し、前記第１の時間-周波数リソース位置と前記第２の時間-周波数リソース位置が同じであり、
前記基地局によって送信された前記第１のリソース集合のすべてのまたは第１のリソース集合グループのすべてのリソース集合がダウンリンクデータに送信に使用されないことを示す指示情報が受信されたとき、ダウンリンクデータを受信するための第２のリソース集合または第２のリソース集合グループの第２の時間-周波数リソース位置を決定し、前記第１の時間-周波数リソース位置と前記第２の時間-周波数リソース位置は異なる。
【００７０】
具体的には、データ伝送をスケジューリングするＵＥ専属ＤＣＩで運ばれる指示情報は、１ビットの指示情報であり、当該指示情報が１ビットのｂｉｔｍａｐ（ビットマップ）方式または他の方式で端末のダウンリンクデータを受信するための時間-周波数リソースを示し得ると想定される。
【００７１】
当該指示情報は１または０である。１は、前記第１のリソース集合のすべてのリソース集合または第１のリソース集合グループのすべてのリソース集合サブグループがダウンリンクデータの伝送に使用されることを示す。０は、前記第１のリソース集合のすべてのリソース集合または第１のリソース集合グループのすべてのリソース集合サブグループがダウンリンクデータの伝送にしようできないことを示す。
【００７２】
基地局によって端末に対して構成された予約リソースが第１のリソース集合（または第１のリソース集合グループ）であり、かつ端末により受信された指示情報が１であれば、端末は、ダウンリンクデータを受信するためのリソースを第１のリソース集合（または第１のリソース集合グループ）として決定する。
【００７３】
基地局によって端末に対して構成された予約リソースが第１のリソース集合（または第１のリソース集合グループ）であり、かつ端末受信された指示情報が０であれば、端末は、ダウンリンクデータを受信するためのリソースを、第１のリソース集合（または第１のリソース集合グループ）を除く他のリソース集合（またはリソース集合サブグループ）として決定する。
【００７４】
本実施形態をよりよく理解するために、ダウンリンクデータを受信するためのリソースを決定するための方法の実施方式が、指示情報の上記のいくつかの実施方式に基づいて具体的に示される。
【００７５】
実施方式１：システム内に合計３つのＵＥ、すなわち、ＵＥ１、ＵＥ２、およびＵＥ３があると想定される。ここで、基地局は、ＵＥ１に対して３つのＣＯＲＥＳＥＴ（Ｃ１、Ｃ２、およびＣ３）を構成する。基地局は、ＵＥ２に対して２つのＣＯＲＥＳＥＴを構成する。基地局は、ＵＥ３に対して４つのＣＯＲＥＳＥＴを構成する。端末ＵＥ１、ＵＥ２およびＵＥ３は、同じグループ共通ＰＤＣＣＨを受信することができる１つのＵＥグループを形成すると想定される。基地局は、各端末のダウンリンク制御チャネルに対応するＣＯＲＥＳＥＴを構成した後、高位層シグナリングにより他の端末制御チャネルを送信するためのリソース集合をさらに構成する。基地局によって端末に対して構成された第１のリソース集合は、１つまたは複数のＣＯＲＥＳＥＴであってもよく、またはＰＲＢまたはＰＲＢグループまたはＣＣＥまたはＣＣＥグループなど、ＣＯＲＥＳＥＴよりも小さいリソース粒度であってもよい。基地局によって端末に対して構成された第１のリソース集合グループは１つ以上のリソース集合サブグループを含み得る。いずれのリソース集合サブグループには１つ以上のＣＯＲＥＳＥＴが含まれる場合があり、同様に、ＣＯＲＥＳＥＴよりも小さいリソース粒度である場合もある。本発明はこれに限定されない。本実施形態では、前記リソース集合は、異なる端末の異なるＣＯＲＥＳＥＴであると想定される。
【００７６】
本実施形態は、ＵＥ１を例として取り上げることにより、本発明の関連する技術的解決策を説明する。UE１は、高位層シグナリングを受信して、高位層シグナリングで運ばれるリソース集合構成情報を受信する。この例では、基地局は高位層シグナリングによりＵＥ１の９つのリソース集合を構成し、ここでのリソース集合は異なる端末のＣＯＲＥＳＥＴである。ＵＥ１のデータチャネルをスケジューリングするダウンリンク制御チャネルはＣＯＲＥＳＥＴ１で送信され、データ領域には他の端末の複数のＣＯＲＥＳＥＴが含まれる。基地局は、グループ共通ＰＤＣＣＨで運ばれる指示情報に従って、どの高位層シグナリングによって構成されるＣＯＲＥＳＥＴがデータ伝送に使用されるかを決定する。前記指示情報は９ビット長のｂｉｔｍａｐで、各情報は特定のＣＯＲＥＳＥＴに対応する。たとえば、図４に示すように、ｂｉｔｍａｐの最上位ビットは、図４に示す番号１のＣＯＲＥＳＥＴがダウンリンクデータの伝送に使用されるかどうかを示し、２番目のビットは、図４の番号が２のＣＯＲＥＳＥＴがダウンリンクデータの伝送に使用されるかどうかを示し、このように類推して、最下位ビットは、図４に示す番号が９のＣＯＲＥＳＥＴがダウンリンクデータの伝送に使用されるかどうかを示す。次の図は例として使用される。ｂｉｔｍａｐの状態は００１０１１１０１である。つまり、ＣＯＲＥＳＥＴ{３ ５ ６ ７ ９}であるリソースはダウンリンクデータの送信に使用され、ＣＯＲＥＳＥＴ {１ ２ ４ ８}であるリソースはダウンリンクデータの送信には使用されない。 ＰＤＳＣＨ（Ｐｈｙｓｉｃａｌ Ｄｏｗｎｌｉｎｋ Ｓｈａｒｅｄ ＣＨａｎｎｅｌ，物理ダウンリンク共有チャネル）は、これらの４つのＣＯＲＥＳＥＴに従ってレートマッチングを実行する必要がある。
【００７７】
さらに、同じ端末グループ内の各端末に対してＲＲＣによって構成された予約リソース集合は同じでなければならず、シリアル番号は統一されるべきである。たとえば、リソース集合には、最初に周波数領域、次に時間領域の方法で番号が付けられる。もちろん、他の番号付け方法は除外されない。
【００７８】
さらに、グループ共通ＰＤＣＣＨにより運ばれる指示情報は、１つ以上のスロット内の高位層により構成されるリソース集合がデータを送信するために使用されるかどうかを示す。同様に、複数のスロットの各スロットに設定されたリソースの時間-周波数リソース位置は同じでも異なっていてもよい。
【００７９】
実施方式２：
実施方法１で述べたように、システム内に合計３つのＵＥ、すなわち、ＵＥ１、ＵＥ２、およびＵＥ３があると想定される。ここで、基地局は、ＵＥ１に対して３つのＣＯＲＥＳＥＴ（Ｃ１、Ｃ２、およびＣ３）を構成する。基地局は、ＵＥ２に対して２つのＣＯＲＥＳＥＴを構成する。基地局は、ＵＥ３に対して４つのＣＯＲＥＳＥＴを構成する。端末ＵＥ１、ＵＥ２およびＵＥ３は、同じグループ共通ＰＤＣＣＨを受信することができる１つのＵＥグループを形成すると想定される。本実施形態では、基地局は、各端末への予約リソース集合として一部のＣＯＲＥＳＥＴを選択し、グループ共通ＰＤＣＣＨにより運ばれる指示情報を通じて示す。ここで、指示情報は１または０である。１は、予約リソース集合のすべてのリソース集合がダウンリンクデータの伝送に使用できることを示す。０は、予約リソース集合のすべてのリソース集合がダウンリンクデータの伝送に使用できないことを示す。例えば、図４を例として取り上げる。予約リソースとして、基地局はＣＯＲＥＳＥＴ{１ ３ ５ ７ ９}を選択し、各ＣＯＲＥＳＥＴの時間-周波数領域リソース情報をＲＲＣ ｓｉｇｎａｌｉｎｇで端末に通知し、さらにグループ共通ＰＤＣＣＨにより指示する（指示情報は１または０である）。
【００８０】
実施方式３：
実施方法１で述べたように、システム内に合計３つのＵＥ、すなわち、ＵＥ１、ＵＥ２、およびＵＥ３があると想定される。基地局は高位層シグナリングでＵＥ１，ＵＥ２，ＵＥ３それぞれに対して同じ予約リソース集合を構成する。例えば、ＵＥ１，ＵＥ２，ＵＥ３それぞれに対して第１のリソース集合を構成する。第１のリソース集合には、８個のリソース集合{１ ２ ３ ４ ５ ６ ７ ８}が含まれる。この例では、各リソース集合（ＣＯＲＥＳＥＴである可能性がある）は、少なくとも１つのＰＲＢグループを含むか、少なくとも１つのＣＣＥグループまたは他の粒度の少なくとも１つのリソースを含み、さらに、各リソース集合に含まれるＣＣＥグループまたはＰＲＢグループの数は、ダウンリンク制御チャネルを送信するためのＣＯＲＥＳＥＴが占有するリソースのサイズとは無関係である。さらに、グループ共通ＰＤＣＣＨで運ばれるレートマッチング指示情報（実施方法１のｂｉｔｍａｐなど）でデータの送信に使用されるリソース集合を示す。
【００８１】
実施方式４：
システム内に３つのＵＥがあると想定される。高位層のシグナリングにより基地局によって各端末に対して構成された第１のリソース集合は、１つまたは複数の予約リソース集合を含む。基地局は、グループ共通ＰＤＣＣＨで運ばれる指示情報により、前記高位層シグナリングで構成されたリソース集合がダウンリンクデータの伝送に使用されるかどうかを示す。本実施形態では、グループ共通ＰＤＣＣＨにより運ばれる指示情は、１ビットの情報で構成される。前記指示ビットの状態が１の場合、高位層シグナリングで構成されたすべてのリソース集合がダウンリンクデータの送信に使用されることを表す。前記指示ビットの状態が０の場合、高位層シグナリングで構成されたすべてのリソース集合がダウンリンクデータの送信に使用されていないことを表す。指示情報が０の場合、端末は上記のリソース集合に加えて、ダウンリンクデータの送信に使用される他のリソース集合を決定し、レートマッチングを実行する必要がある。この例では、図５に示すように、高位層シグナリングにより基地局によって各端末に対して構成された予約リソース集合は、同じまたは異なる場合がある。
【００８２】
さらに、この実施方法におけるリソース集合の意味は、実施方法１〜３で述べた通りであるすなわち、それらはＣＯＲＥＳＥＴであってもよく、または他のリソース粒度で構成される他のリソース集合であってもよい。ここに制限はない。
【００８３】
実施方式５：システム内に３つのＵＥがあると想定される。高位層のシグナリングにより基地局によって各端末に対して構成された第１のリソース集合は、１つまたは複数の予約リソース集合を含む。基地局は、ＵＥのデータ伝送をスケジューリングするＤＣＩで運ばれる指示情報により、前記高位層シグナリングで構成されたリソース集合がデータ伝送に使用されるかどうかを示す。本実施形態では、ＵＥのデータ伝送をスケジューリングするＤＣＩで運ばれる指示情は、１ビットの情報で構成される。前記指示ビットの状態が１の場合、高位層シグナリングで構成された第１のリソース集合のすべてのリソース集合がデータ伝送に使用されることを示す。前記指示ビットの状態が０の場合、高位層シグナリングで構成された第１のリソース集合のすべてのリソース集合がデータ伝送に使用できないことを示す。指示情報が０の場合、端末は、第１のリソース集合に加えてダウンリンクデータを送信するために使用される他のリソース集合を決定する必要があり、ＰＤＳＣＨは再決定されたリソース集合でレートマッチングを実行する必要がある。この例では、図５に示すように、高位層シグナリングにより基地局によって各端末に対して構成された予約リソース集合は、同じまたは異なる場合がある。
【００８４】
さらに、この実施方法におけるリソース集合の意味は、実施方法１〜３で述べた通りであるすなわち、それらはＣＯＲＥＳＥＴであってもよく、または他のリソース粒度で構成される他のリソース集合であってもよい。ここに制限はない。
【００８５】
リソース集合サブグループの実施方法については、１つのリソースサブグループは少なくとも１つのリソース集合サブグループを含むことができ、リソース集合サブグループは、少なくとも１つのリソース集合を含む。リソース集合サブグループの指示方法は、リソース集合の指示方法と同じである。例えば、リソース集合サブグループ内の番号が１-８であるリソース集合サブグループ{１ ２ ３ ４ ５ ６ ７ ８}について、ｂｉｔｍａｐ００１０１１１０は、リソース集合サブグループ内のどのリソースグループが使用可能であるかを示す。例えば、ｂｉｔｍａｐの最上位ビットは番号が１であるＣＯＲＥＳＥＴを使用してダウンリンクデータを送信するかどうかを示し、２番目のビットは番号が２であるＣＯＲＥＳＥＴを使用してダウンリンクデータを送信するかどうかを示す。このように類推して、最下位ビットは番号が８であるＣＯＲＥＳＥＴがダウンリンクデータの送信に使用されるかどうかを示す。ここで、１は使用可を示し、０は使用不可を示す。ｂｉｔｍａｐは、リソース番号が{３ ５ ６ ７}であるリソースがダウンリンクデータの送信に使用され、ＣＯＲＥＳＥ番号が{１ ２ ４ ８}であるリソースがダウンリンクデータの送信に使用されないことを示す。リソース集合サブグループの実施方法は、前述のリソース集合の実施方法の原理と同じであり、ここでは説明を省略する。
【００８６】
図６に示すように、本発明の実施形態ＩＩは、基地局側に適用されるダウンリンクデータを送信するためのリソースを構成する方法を提供する。前記方法は以下のステップを備える
【００８７】
Ｓ２０１において、前記端末がダウンリンクデータを受信するための第１のリソース集合または第１のリソース集合グループの第１の時間-周波数リソース位置を取得できるように、リソース構成情報を端末に送信する。
【００８８】
Ｓ２０２において、前記端末が前記指示情報に基づいてダウンリンクデータを受信するための第２のリソース集合または第２のリソース集合グループの第２の時間-周波数リソース位置を決定するように、前記第１のリソース集合のすべてのリソース集合または各リソース集合、または第１のリソース集合グループのすべてのリソース集合サブグループまたは各リソース集合サブグループがダウンリンクデータの送信に使用されるかどうかを示すための指示情報を端末に送信し、前記第１のリソース集合グループは、少なくとも１つのリソース集合サブグループを含み、前記少なくとも１つのリソース集合サブグループには、少なくとも１つのリソース集合が含まれる。
【００８９】
具体的には、リソース構成情は、基地局によって送信される高位層シグナリングで運ばれるリソース構成情報であってもよい。端末側は、リソース構成情報に従って、基地局によって端末に対して構成されたダウンリンクデータを受信するための第１のリソース集合または第１のリソース集合グループの時間-周波数リソース位置を取得できる。例えば、グ端末は、高位層シグナリングで運ばれるリソース構成情報を受信した後に、端末は、基地局によって端末に対して構成されたダウンリンクデータを受信するためのリソース集合またはリソース集合サブグループの時間-周波数リソース位置を取得する。
【００９０】
具体的には、第１のリソース集合または第１のリソース集合グループは、基地局によって端末のために予約されたダウンリンクデータの伝送に使用される（例えば、ダウンリンク制御チャネル）リソース集合またはリソース集合サブグループである。
【００９１】
前記少なくとも１つのリソース集合内のいずれのリソース集合は、少なくとも１つの周波数領域上のＲＢ以及時間領域上の少なくとも１つのＯＦＤＭシンボルを含み、または少なくとも１つのＣＣＥを含み、または少なくとも１つのＣＣＥグループを含み、または少なくとも１つのＰＲＢグループを含み、または少なくとも１つのＲＥを含み、または少なくとも１つのＲＥグループを含み、
【００９２】
前記第１のリソース集合グループは、少なくとも１つのリソース集合サブグループを含み、前記少なくとも１つのリソース集合サブグループには、少なくとも１つのリソース集合が含まれる。同様に、当該少なくとも１つのリソース集合内のいずれのリソース集合は、少なくとも１つの周波数領域上のＲＢ以及時間領域上の少なくとも１つのＯＦＤＭシンボルを含み、または少なくとも１つのＣＣＥを含み、または少なくとも１つのＣＣＥグループを含み、または少なくとも１つのＰＲＢグループを含み、または少なくとも１つのＲＥを含み、または少なくとも１つのＲＥグループを含む。ここで、任意のリソース集合の特定の構成は単なる例であり、上記のいくつかの構成方法に限定されない。任意のリソース集合は、他の粒度のリソースで構成することもできる。
【００９３】
ここで、少なくとも１つのリソース集合サブグループは、受信された基地局によって送信された高位層シグナリングで運ばれる少なくとも１つのリソース集合をグルーピングするためのグルーピング情報を通じて取得される。具体的には、例えば、基地局によって端末に送信される高位層シグナリングで運ばれる上記リソース構成情報に加えて、当該リソース構成情報で端末に対して構成されたリソースがリソース集合サブグループである場合、基地局は実際のニーズに応じて前記少なくとも１つのリソース集合をグルーピングする。各リソース集合サブグループには、少なくとも１つのリソース集合が含まれる。当該高位層シグナリングは、少なくとも１つのリソース集合をグルーピングするためのグルーピング情報を運ぶことができる。端末は、受信したリソース構成情報および高位層シグナリングで運ばれるグルーピング情報に従って、基地局によって構成されたリソースの時間-周波数リソース位置を取得することができる。もちろん、別の場合として、リソース構成情報には、基地局によって端末に対して構成されたリソース（例えば、リソース集合またはリソース集合サブグループ）の時間-周波数リソース位置に加えて、基地局によって端末に対して構成されたリソースのグルーピング情報も含めることができる。
Ｓ２０１が実行された後、Ｓ２０２が実行される。 S２０２の場合、指示情報の伝達には、以下のいくつかの異なる実施方式が含まれる。
【００９４】
方式１：基地局から端末に送信されたグループ共通ＰＤＣＣＨにより運ばれる指示情報。具体的には、前記グループ共通ＰＤＣＣＨにより運ばれる指示情報は、１つ以上のｓｌｏｔ内の基地局によって構成されたリソース集合のすべてのリソース集合または各リソース集合、またはリソース集合サブグループのすべてのリソース集合サブグループまたはリソース集合サブグループがデータ伝送に使用可能であるかどうかを示す。
【００９５】
方式２：基地局から端末に送信されたデータ伝送をスケジューリングするＵＥ専属ＤＣＩで運ばれる指示情報。具体的には、前記グループ共通ＰＤＣＣＨにより運ばれる指示情報は、１つ以上のｓｌｏｔ内の基地局によって構成されたリソース集合のすべてのリソース集合、またはリソース集合サブグループのすべてのリソース集合サブグループがデータ伝送に使用可能であるかどうかを示す。
【００９６】
方式１に関して、指示情報は、以下のいくつかの実施方式を含むことができる。方式１ａ：グループ共通ＰＤＣＣＨにより運ばれる、前記第１のリソース集合または第１のリソース集合グループのすべてのリソース集合がダウンリンクデータの送信にしようされることを示す指示情報、
グループ共通ＰＤＣＣＨにより運ばれる、前記第１のリソース集合または第１のリソース集合グループのすべてのリソース集合がダウンリンクデータの送信に使用されない指示情報。
【００９７】
方式１ｂ：グループ共通ＰＤＣＣＨにより運ばれる、前記第１のリソース集合内の、ダウンリンクデータの送信に使用されないリソース集合およびダウンリンクデータの送信に使用されるリソース集合を示すビットマップ指示情報、
方式１ｃ：グループ共通ＰＤＣＣＨにより運ばれる、前記第１のリソース集合グループ内の、ダウンリンクデータの送信に使用されないリソース集合サブグループおよびダウンリンクデータの送信に使用されるリソース集合サブグループを示すビットマップ指示情報。
【００９８】
方式１ａについて、Ｓ２０２は具体的に：
前記端末が前記指示情報に基づいてダウンリンクデータを受信するための第２のリソース集合または第２のリソース集合グループの第２の時間-周波数リソース位置を決定するように、前記第１のリソース集合のすべてのまたは第１のリソース集合グループのすべてのリソース集合がダウンリンクデータに送信に使用されないことを示す指示情報を端末に送信し、前記第１の時間-周波数リソース位置と前記第２の時間-周波数リソース位置は異なり、
前記端末が前記指示情報に基づいてダウンリンクデータを受信するための第２のリソース集合または第２のリソース集合グループの第２の時間-周波数リソース位置を決定するように、前記第１のリソース集合のすべてのまたは第１のリソース集合グループのすべてのリソース集合がダウンリンクデータの送信に使用されることを示す指示情報を端末に送信し、前記第１の時間-周波数リソース位置と前記第２の時間-周波数リソース位置が同じである。
【００９９】
具体的には、グループ共通ＰＤＣＣＨにより運ばれる指示情報は１ビットの指示情報であると想定され、当該指示情報は、ダウンリンクデータを受信するための端末の時間−周波数リソースを示すために使用される。
【０１００】
当該指示情報は１または０である。１は、前記第１のリソース集合のすべてのリソース集合または第１のリソース集合グループのすべてのリソース集合サブグループがダウンリンクデータの伝送に使用されることを示す。０は、前記第１のリソース集合のすべてのリソース集合または第１のリソース集合グループのすべてのリソース集合サブグループがダウンリンクデータの伝送にしようできないことを示す。
【０１０１】
基地局によって端末に対して構成された予約リソースが第１のリソース集合（または第１のリソース集合グループ）であり、かつ端末により受信された指示情報が１であれば、端末は、ダウンリンクデータを受信するためのリソースを第１のリソース集合（または第１のリソース集合グループ）として決定する。
【０１０２】
基地局によって端末に対して構成された予約リソースが第１のリソース集合（または第１のリソース集合グループ）であり、かつ端末受信された指示情報が０であれば、端末は、ダウンリンクデータを受信するためのリソースを、第１のリソース集合（または第１のリソース集合グループ）を除く他のリソース集合（またはリソース集合サブグループ）として決定する。
【０１０３】
そして、端末は、決定されたリソース集合（またはリソース集合サブグループ）においてレートマッチングを実行する。
【０１０４】
方式１ｂおよび方法１ｃの場合、グループ共通ＰＤＣＣＨで運ばれる指示情報は、ｂｉｔｍａｐ（ビットマップ）方式でダウンリンクデータを伝送するためのリソース位置を示し、当該指示情報はビットマップ指示情報である。Ｓ２０２は具体的に：
前記端末が前記指示情報に基づいてダウンリンクデータを受信するための第２のリソース集合または第２のリソース集合グループの第２の時間-周波数リソース位置を決定するように、前記第１のリソース集合内の、ダウンリンクデータの送信に使用されないリソース集合およびダウンリンクデータの送信に使用されるリソース集合を示すビットマップ指示情報を端末に送信し、前記第２の時間-周波数リソース位置は、前記第１のリソース集合内のダウンリンクデータの送信に使用されるリソース集合の時間-周波数リソース位置を含み、
前記端末が前記指示情報に基づいてダウンリンクデータを受信するための第２のリソース集合または第２のリソース集合グループの第２の時間-周波数リソース位置を決定するように、前記第１のリソース集合グループ内の、ダウンリンクデータの送信に使用されないリソース集合サブグループおよびダウンリンクデータの送信に使用されるリソース集合サブグループを示すビットマップ指示情報を端末に送信し、前記第２の時間-周波数リソース位置は、前記第１のリソース集合グループ内のダウンリンクデータの送信に使用されるリソース集合サブグループの時間-周波数リソース位置を含む。
【０１０５】
具体的には、ビットマップ指示情報は、具体的には、例えば、ｂｉｔｍａｐである。当該ビットマップのデータ長は、高位層シグナリングを通じて基地局によって端末に対して構成されたリソース集合の数またはリソース集合サブグループの数に従って決定される。例えば、高位層シグナリングにより基地局によって端末に対して構成されたリソース集合の数またはリソース集合サブグループの数がQである場合、前記ｂｉｔｍａｐはQビットで構成され、各ビットは１つのリソース集合または１つのリソース集合サブグループに対応する。例えば、ｂｉｔｍａｐの状態は８ビットの０１ ０００ １００である。これは、高位層シグナリングにより基地局によって端末に対して構成された第１のリソース集合（または第１のリソース集合グループ）が{１，２，３，４，５，６，７，８}であり、ｂｉｔｍａｐの最上位ビットが番号が１であるリソース集合を示し、このように類推して、ｂｉｔｍａｐの最下位ビットが番号が８であるリソース集合を示す。１はこのリソース集合が使用可能であることを示し、０はこのリソース集合が使用できないことを示す。したがって、ｂｉｔｍａｐの状態は、端末がビット番号を２とするリソース集合およびビット番号を６とするリソース集合を使用してダウンリンクデータを受信できることを示す。
【０１０６】
さらに、端末が前記グループ共通ＰＤＣＣＨの受信に成功しなかった場合、またはグループ共通ＰＤＣＣＨを検出および受信しないように基地局によって構成された場合、端末は特定の挙動に従ってデータを受信する。具体的には、高位層シグナリングで構成されたすべてのリソース集合またはすべてのリソース集合サブグループが、ダウンリンクデータの伝送に使用されると考えることができる。または、高位層シグナリングで構成されたすべてのリソース集合またはすべてのリソース集合サブグループが、ダウンリンクデータの伝送に使用されていないと見なすことができる。
【０１０７】
方式２の場合、指示情報の実施方法は以下のとおりであり得る：
データ伝送をスケジューリングするＵＥ専属ＤＣＩで運ばれる前記第１のリソース集合または第１のリソース集合グループのすべてのリソース集合がダウンリンクデータの送信にしようされることを示す指示情報、または、
データ伝送をスケジューリングするＵＥ専属ＤＣＩで運ばれる前記第１のリソース集合または第１のリソース集合グループのすべてのリソース集合がダウンリンクデータの送信に使用されない指示情報。
【０１０８】
方式２について、Ｓ２０２は具体的に：
前記端末が前記指示情報に基づいてダウンリンクデータを受信するための第２のリソース集合または第２のリソース集合グループの第２の時間-周波数リソース位置を決定するように、前記第１のリソース集合のすべてのまたは第１のリソース集合グループのすべてのリソース集合がダウンリンクデータに送信に使用されないことを示す指示情報を端末に送信し、前記第１の時間-周波数リソース位置と前記第２の時間-周波数リソース位置は異なり、
前記端末が前記指示情報に基づいてダウンリンクデータを受信するための第２のリソース集合または第２のリソース集合グループの第２の時間-周波数リソース位置を決定するように、前記第１のリソース集合のすべてのまたは第１のリソース集合グループのすべてのリソース集合がダウンリンクデータの送信に使用されることを示す指示情報を端末に送信し、前記第１の時間-周波数リソース位置と前記第２の時間-周波数リソース位置が同じである。
【０１０９】
具体的には、基地局端末に送信されたデータ伝送をスケジューリングするＵＥ専属ＤＣＩで運ばれる指示情報が１ｂitの指示情報であると想定される。当該指示情報が１ビットのｂｉｔｍａｐ（ビットマップ）方式または他の方式で端末のダウンリンクデータを受信するための時間-周波数リソースを示し得る。
【０１１０】
当該指示情報は１または０である。１は、前記第１のリソース集合のすべてのリソース集合または第１のリソース集合グループのすべてのリソース集合サブグループがダウンリンクデータの伝送に使用されることを示す。０は、前記第１のリソース集合のすべてのリソース集合または第１のリソース集合グループのすべてのリソース集合サブグループがダウンリンクデータの伝送にしようできないことを示す。
【０１１１】
基地局によって端末に対して構成された予約リソースが第１のリソース集合（または第１のリソース集合グループ）であり、かつ端末により受信された指示情報が１であれば、端末は、ダウンリンクデータを受信するためのリソースを第１のリソース集合（または第１のリソース集合グループ）として決定する。
【０１１２】
基地局によって端末に対して構成された予約リソースが第１のリソース集合（または第１のリソース集合グループ）であり、かつ端末受信された指示情報が０であれば、端末は、ダウンリンクデータを受信するためのリソースを、第１のリソース集合（または第１のリソース集合グループ）を除く他のリソース集合（またはリソース集合サブグループ）として決定する。
【０１１３】
基地局側でダウンロードデータを送信するためのリソースを構成する方法の具体例は、実施形態Ｉの具体例の方法と同じであり、ここでは説明を省略する。
【０１１４】
図７に示されるように、本発明の実施形態ＩＩＩは端末を提供する。端末には、
受信された基地局によって送信されたリソース構成情報に基づいて、基地局によって端末に対して構成されたダウンリンクデータを受信するための第１のリソース集合または第１のリソース集合グループの第１の時間-周波数リソース位置を決定するように構成された第１の決定モジュール３０１と、
受信された基地局によって送信された指示情報に基づいて、ダウンリンクデータを受信するための第２のリソース集合または第２のリソース集合グループの第２の時間-周波数リソース位置を決定するように構成された第２の決定モジュール３０２とを備える。
【０１１５】
前記指示情報は、前記第１のリソース集合のすべてのリソース集合または各リソース集合、または第１のリソース集合グループのすべてのリソース集合サブグループまたは各リソース集合サブグループがダウンリンクデータの送信に使用されるかどうかを示し、前記第１のリソース集合グループは、少なくとも１つのリソース集合サブグループを含み、前記少なくとも１つのリソース集合サブグループには、少なくとも１つのリソース集合が含まれる。
【０１１６】
前記リソース構成情報は、実施形態Ｉのものと同じである。第１のリソース集合または第１のリソース集合グループの構成は、実施形態Ｉでの基地局によって端末のために予約されたダウンリンクデータの伝送に使用される（例えば、ダウンリンク制御チャネル）リソース集合またはリソース集合サブグループと同じであり、その説明はここでは省略する。
【０１１７】
指示情報は、実施形態Ｉと同じであり、ここでは説明を省略する。受信された指示情報が異なるため、端末の第２の決定モジュール３０２によって決定された時間-周波数リソース位置は異なる。第２の決定モジュール３０２は、具体的には、第１の決定サブモジュール、第２の決定サブモジュール、第３の決定サブモジュール、および第４の決定サブモジュールを含む。さまざまなサブモジュールは、特に次のように構成される：
実施形態Ｉにおける方式１ａおよび方式２の指示情報について：
第１の決定サブモジュールは、基地局によって送信された前記第１のリソース集合のすべてのリソース集合または第１のリソース集合グループのすべてのリソース集合サブグループがダウンリンクデータの送信に使用されることを示す指示情報が受信されたとき、ダウンリンクデータを受信するための第２のリソース集合または第２のリソース集合グループの第２の時間-周波数リソース位置を決定し、前記第１の時間-周波数リソース位置と前記第２の時間-周波数リソース位置が同じである。
【０１１８】
第２の決定サブモジュールは、前記基地局によって送信された前記第１のリソース集合のすべてのリソース集合または第１のリソース集合グループのすべてのリソース集合サブグループがダウンリンクデータの送信に使用されないことを示す指示情報が受信されたとき、ダウンリンクデータを受信するための第２のリソース集合または第２のリソース集合グループの第２の時間-周波数リソース位置を決定し、前記第１の時間-周波数リソース位置と前記第２の時間-周波数リソース位置は異なる。
【０１１９】
具体的には、グループ共通ＰＤＣＣＨまたはデータ伝送をスケジューリングするＵＥ専属ＤＣＩで運ばれる指示情報が１ｂｉｔの指示情報であると想定される。当該指示情報が１ビットのｂｉｔｍａｐ（ビットマップ）方式または他の方式で端末のダウンリンクデータを受信するための時間-周波数リソースを示し得る。
【０１２０】
当該指示情報は１または０である。１は、前記第１のリソース集合のすべてのリソース集合または第１のリソース集合グループのすべてのリソース集合サブグループがダウンリンクデータの伝送に使用されることを示す。０は、前記第１のリソース集合のすべてのリソース集合または第１のリソース集合グループのすべてのリソース集合サブグループがダウンリンクデータの伝送にしようできないことを示す。
【０１２１】
基地局によって端末に対して構成された予約リソースが第１のリソース集合（または第１のリソース集合グループ）であり、かつ端末により受信された指示情報が１であれば、第１の決定サブモジュールは、ダウンリンクデータを受信するためのリソースを第１のリソース集合（または第１のリソース集合グループ）として決定する。
【０１２２】
基地局によって端末に対して構成された予約リソースが第１のリソース集合（または第１のリソース集合グループ）であり、かつ端末受信された指示情報が０であれば、第２の決定サブモジュールは、ダウンリンクデータを受信するためのリソースを、第１のリソース集合（または第１のリソース集合グループを除くリソース集合（またはリソース集合サブグループ）として決定する。
【０１２３】
そして、端末は、決定されたリソース集合（またはリソース集合サブグループ）においてレートマッチングを実行する。
【０１２４】
実施形態Ｉにおける方式１ｂでの指示情報について：
第３の決定サブモジュールは、基地局によって送信された前記第１のリソース集合内の、ダウンリンクデータの送信に使用されないリソース集合およびダウンリンクデータの送信に使用されるリソース集合を示すビットマップ指示情報が受信されたとき、前記ビットマップ指示情報に基づき、ダウンリンクデータを受信するための第２のリソース集合の第２の時間-周波数リソース位置を決定し、前記第２の時間-周波数リソース位置は、前記第１のリソース集合内のダウンリンクデータの送信に使用されるリソース集合の時間-周波数リソース位置を含む。
【０１２５】
実施形態Ｉにおける方式１ｃでの指示情報について：
第４の決定サブモジュールは、基地局によって送信された前記第１のリソース集合グループ内の、ダウンリンクデータの送信に使用されないリソース集合サブグループおよびダウンリンクデータの送信に使用されるリソース集合サブグループを示すビットマップ指示情報が受信されたとき、前記ビットマップ指示情報に基づき、ダウンリンクデータを受信するための第２のリソース集合グループの第２の時間-周波数リソース位置を決定し、前記第２の時間-周波数リソース位置は、前記第１のリソース集合グループ内のダウンリンクデータの送信に使用されるリソース集合サブグループの時間-周波数リソース位置を含む。
【０１２６】
第３の決定サブモジュールおよび第４の決定サブモジュールの場合、ダウンリンクデータを受信するための第２のリソース集合グループの第２の時間-周波数リソース位置を決定する実施方式は、具体的に：
ビットマップ指示情報は、具体的には、例えば、ｂｉｔｍａｐである。当該ビットマップのデータ長は、高位層シグナリングを通じて基地局によって端末に対して構成されたリソース集合の数またはリソース集合サブグループの数に従って決定される。例えば、高位層シグナリングにより基地局によって端末に対して構成されたリソース集合の数またはリソース集合サブグループの数がQである場合、前記ｂｉｔｍａｐはQビットで構成され、各ビットは１つのリソース集合または１つのリソース集合サブグループに対応する。例えば、ｂｉｔｍａｐの状態は８ビットの０１ ０００ １００である。これは、高位層シグナリングにより基地局によって端末に対して構成された第１のリソース集合（または第１のリソース集合グループ）が{１，２，３，４，５，６，７，８}であり、ｂｉｔｍａｐの最上位ビットが番号が１であるリソース集合を示し、このように類推して、ｂｉｔｍａｐの最下位ビットが番号が８であるリソース集合を示す。１はこのリソース集合が使用可能であることを示し、０はこのリソース集合が使用できないことを示す。したがって、ｂｉｔｍａｐの状態は、端末がビット番号を２とするリソース集合およびビット番号を６とするリソース集合を使用してダウンリンクデータを受信できることを示す。
【０１２７】
さらに、端末が前記グループ共通ＰＤＣＣＨの受信に成功しなかった場合、またはグループ共通ＰＤＣＣＨを検出および受信しないように基地局によって構成された場合、端末は特定の挙動に従ってデータを受信する。具体的には、高位層シグナリングで構成されたすべてのリソース集合またはすべてのリソース集合サブグループが、ダウンリンクデータの伝送に使用されると考えることができる。または、高位層シグナリングで構成されたすべてのリソース集合またはすべてのリソース集合サブグループが、ダウンリンクデータの伝送に使用されていないと見なすことができる。
【０１２８】
ダウンリンクデータを受信するためのリソースを決定するための端末の動作原理の方法ステップは、実施形態Ｉの具体例と同じであり、その説明はここでは省略する。
【０１２９】
図８に示されるように、本発明の実施形態ＩＶは基地局を提供する。前記基地局は、
前記端末がダウンリンクデータを受信するための第１のリソース集合または第１のリソース集合グループの第１の時間-周波数リソース位置を取得できるように、リソース構成情報を端末に送信するように構成された第１の送信モジュール４０１と、
前記端末が前記指示情報に基づいてダウンリンクデータを受信するための第２のリソース集合または第２のリソース集合グループの第２の時間-周波数リソース位置を決定するように、前記第１のリソース集合のすべてのリソース集合または各リソース集合、または第１のリソース集合グループのすべてのリソース集合サブグループまたは各リソース集合サブグループがダウンリンクデータの送信に使用されるかどうかを示すための指示情報を端末に送信するように構成された第２の送信モジュール４０２とを備える。
【０１３０】
前記第１のリソース集合グループは、少なくとも１つのリソース集合サブグループを含み、前記少なくとも１つのリソース集合サブグループには、少なくとも１つのリソース集合が含まれる。
【０１３１】
前記リソース構成情報は、実施形態ＩＩのリソース構成情報と同じである。第１のリソース集合または第１のリソース集合グループの構成は、実施形態ＩＩでの基地局によって端末のために予約されたダウンリンクデータの伝送に使用される（例えば、ダウンリンク制御チャネル）リソース集合またはリソース集合サブグループと同じであり、ここでは説明を省略する。
【０１３２】
前記指示情報は、実施形態ＩＩのものと同じであり、ここでは説明を省略する。基地局の第２の送信モジュール４０２が送信した指示情報が異なるため、端末によって決定された時間-周波数リソース位置も異なる。第２の送信モジュール４０２は、具体的には、第１の送信サブモジュール、第２の送信サブモジュール、第３の送信サブモジュール、および第４の送信サブモジュールを含む。さまざまなサブモジュールは、特に次のように構成される：
【０１３３】
実施形態ＩＩにおける方式１ａおよび方式２での指示情報について：
前記第１の送信サブモジュールは、ダウンリンクデータを受信するための第２のリソース集合または第２のリソース集合グループの第２の時間-周波数リソース位置を決定するように、前記第１のリソース集合のすべてのまたは第１のリソース集合グループのすべてのリソース集合がダウンリンクデータに送信に使用されないことを示す指示情報を端末に送信するように構成された第１の送信サブモジュールであって、前記第１の時間-周波数リソース位置と前記第２の時間-周波数リソース位置は異なる。
【０１３４】
第２の送信サブモジュールは、前記端末が前記指示情報に基づいてダウンリンクデータを受信するための第２のリソース集合または第２のリソース集合グループの第２の時間-周波数リソース位置を決定するように、前記第１のリソース集合のすべてのまたは第１のリソース集合グループのすべてのリソース集合がダウンリンクデータの送信に使用されることを示す指示情報を端末に送信し、前記第１の時間-周波数リソース位置と前記第２の時間-周波数リソース位置が同じである。
【０１３５】
具体的には、グループ共通ＰＤＣＣＨまたはデータ伝送をスケジューリングするＵＥ専属ＤＣＩで運ばれる指示情報が１ｂｉｔである指示情報であると想定される。当該指示情報が１ビットのｂｉｔｍａｐ（ビットマップ）方式または他の方式で端末のダウンリンクデータを受信するための時間-周波数リソースを示し得る。
【０１３６】
当該指示情報は１または０である。１は、前記第１のリソース集合のすべてのリソース集合または第１のリソース集合グループのすべてのリソース集合サブグループがダウンリンクデータの伝送に使用されることを示す。０は、前記第１のリソース集合のすべてのリソース集合または第１のリソース集合グループのすべてのリソース集合サブグループがダウンリンクデータの伝送にしようできないことを示す。
【０１３７】
基地局によって端末に対して構成された予約リソースが第１のリソース集合（または第１のリソース集合グループ）であり、かつ第１の送信サブモジュール端末に送信された指示情報が１であれば、端末のダウンリンクデータを受信するためのリソースは、第１のリソース集合（または第１のリソース集合グループ）である。
【０１３８】
基地局によって端末に対して構成された予約リソースが第１のリソース集合（または第１のリソース集合グループ）であり、かつ第２の送信サブモジュール端末に送信された指示情報が０であれば、端末のダウンリンクデータを受信するためのリソースは、第１のリソース集合（または第１のリソース集合グループ）を除く他のリソース集合（またはリソース集合サブグループ）である。
【０１３９】
そして、端末は、決定されたリソース集合（またはリソース集合サブグループ）においてレートマッチングを実行する。
【０１４０】
実施形態Ｉにおける方式１ｂでの指示情報について：
第３の送信サブモジュールは、前記端末が前記指示情報に基づいてダウンリンクデータを受信するための第２のリソース集合または第２のリソース集合グループの第２の時間-周波数リソース位置を決定するように、前記第１のリソース集合内の、ダウンリンクデータの送信に使用されないリソース集合およびダウンリンクデータの送信に使用されるリソース集合を示すビットマップ指示情報を端末に送信し、前記第２の時間-周波数リソース位置は、前記第１のリソース集合内のダウンリンクデータの送信に使用されるリソース集合の時間-周波数リソース位置を含む。
【０１４１】
実施形態Ｉにおける方式１ｃでの指示情報について：
第４の送信サブモジュールは、前記端末が前記指示情報に基づいてダウンリンクデータを受信するための第２のリソース集合または第２のリソース集合グループの第２の時間-周波数リソース位置を決定するように、前記第１のリソース集合グループ内の、ダウンリンクデータの送信に使用されないリソース集合サブグループおよびダウンリンクデータの送信に使用されるリソース集合サブグループを示すビットマップ指示情報を端末に送信し、前記第２の時間-周波数リソース位置は、前記第１のリソース集合グループ内のダウンリンクデータの送信に使用されるリソース集合サブグループの時間-周波数リソース位置を含む。
【０１４２】
第３の送信サブモジュールおよび第４の送信サブモジュールの場合、ダウンリンクデータを受信するための第２のリソース集合グループの第２の時間-周波数リソース位置を決定する実施方式は、具体的に：
ビットマップ指示情報は、具体的には、例えば、ｂｉｔｍａｐである。当該ビットマップのデータ長は、高位層シグナリングを通じて基地局によって端末に対して構成されたリソース集合の数またはリソース集合サブグループの数に従って決定される。例えば、高位層シグナリングにより基地局によって端末に対して構成されたリソース集合の数またはリソース集合サブグループの数がQである場合、前記ｂｉｔｍａｐはQビットで構成され、各ビットは１つのリソース集合または１つのリソース集合サブグループに対応する。例えば、ｂｉｔｍａｐの状態は８ビットの０１ ０００ １００である。第３の送信サブモジュール（または第４の送信サブモジュール）によって端末に送信された高位層シグナリングで運ばれる指示情報に基づいて端末に対して構成された第１のリソース集合（または第１のリソース集合グループ）は、{１，２，３，４，５，６，７，８}であり、ｂｉｔｍａｐの最上位ビットが番号が１であるリソース集合を示し、このように類推して、ｂｉｔｍａｐの最下位ビットが番号が８であるリソース集合を示す。１はこのリソース集合が使用可能であることを示し、０はこのリソース集合が使用できないことを示す。したがって、ｂｉｔｍａｐの状態は、端末がビット番号を２とするリソース集合およびビット番号を６とするリソース集合を使用してダウンリンクデータを受信できることを示す。
【０１４３】
さらに、端末が前記グループ共通ＰＤＣＣＨの受信に成功しなかった場合、またはグループ共通ＰＤＣＣＨを検出および受信しないように基地局によって構成された場合、端末は特定の挙動に従ってデータを受信する。具体的には、高位層シグナリングで構成されたすべてのリソース集合またはすべてのリソース集合サブグループが、ダウンリンクデータの伝送に使用されると考えることができる。または、高位層シグナリングで構成されたすべてのリソース集合またはすべてのリソース集合サブグループが、ダウンリンクデータの伝送に使用されていないと見なすことができる。
【０１４４】
ダウンリンクデータを送信するためのリソースを決定するための基地局の動作原理の方法ステップは、実施形態IおよびIIの具体例と同じであり、その説明はここでは省略する。
【０１４５】
本発明の実施形態Ｖは、メモリに格納されたコンピュータプログラムを実行するときに、実施形態Ｉおよび実施形態ＩＩに係る前記方法のステップを実行するプロセッサを備えるコンピュータ装置を提供する。
【０１４６】
本発明の実施形態ＶＩは、コンピュータプログラムを記憶するコンピュータ可読記憶媒体を提供する。コンピュータプログラムは、プロセッサによって実行されると、実施形態IおよびIIの方法のステップを実行する。
【０１４７】
本発明の実施形態ＶＩＩに係る端末は、
メモリ内のプログラムを読み取り、次のプロセスを実行するように構成されたプロセッサと、
プロセッサの制御下でデータを送受信するように構成された送受信機とを備える。
【０１４８】
前記プロセッサは、受信された基地局によって送信されたリソース構成情報に基づいて、基地局によって端末に対して構成されたダウンリンクデータを受信するための第１のリソース集合または第１のリソース集合グループの第１の時間-周波数リソース位置を決定し、
受信された基地局によって送信された指示情報に基づいて、ダウンリンクデータを受信するための第２のリソース集合または第２のリソース集合グループの第２の時間-周波数リソース位置を決定し、前記指示情報は、前記第１のリソース集合のすべてのリソース集合または各リソース集合、または第１のリソース集合グループのすべてのリソース集合サブグループまたは各リソース集合サブグループがダウンリンクデータの送信に使用されるかどうかを示し、前記第１のリソース集合グループは、少なくとも１つのリソース集合サブグループを含み、前記少なくとも１つのリソース集合サブグループには、少なくとも１つのリソース集合が含まれる。
【０１４９】
実施において、前記指示情報は、
受信された基地局によって送信されたグループ共通ＰＤＣＣＨまたはデータ伝送をスケジューリングするＵＥ専属ＤＣＩにより運ばれる、前記第１のリソース集合のすべてのリソース集合または第１のリソース集合グループのすべてのリソース集合サブグループがダウンリンクデータの送信に使用されることを示す指示情報、または、
受信された基地局によって送信されたグループ共通ＰＤＣＣＨまたはデータ伝送をスケジューリングするＵＥ専属ＤＣＩにより運ばれる、前記第１のリソース集合のすべてのリソース集合または第１のリソース集合グループのすべてのリソース集合サブグループがダウンリンクデータの送信に使用されないことを示す指示情報、または、
受信された基地局によって送信されたグループ共通ＰＤＣＣＨにより運ばれる、前記第１のリソース集合内の、ダウンリンクデータの送信に使用されないリソース集合およびダウンリンクデータの送信に使用されるリソース集合を示すビットマップ指示情報、または、
受信された基地局によって送信されたグループ共通ＰＤＣＣＨにより運ばれる、前記第１のリソース集合グループ内の、ダウンリンクデータの送信に使用されないリソース集合サブグループおよびダウンリンクデータの送信に使用されるリソース集合サブグループを示すビットマップ指示情報を含む。
【０１５０】
実施において、前記少なくとも１つのリソース集合内のいずれのリソース集合は、少なくとも１つの周波数領域上のＲＢおよび時間領域上の少なくとも１つのＯＦＤＭシンボルを含み、または少なくとも１つのＣＣＥを含み、または少なくとも１つのＣＣＥグループを含み、または少なくとも１つのＰＲＢグループを含み、または少なくとも１つのＲＥを含み、または少なくとも１つのＲＥグループを含む。
【０１５１】
実施において、前記少なくとも１つのリソース集合サブグループは、受信された基地局によって送信された高位層シグナリングで運ばれる少なくとも１つのリソース集合をグルーピングするためのグルーピング情報を通じて取得される。
【０１５２】
実施において、前記リソース構成情報は、受信された基地局によって送信された高位層シグナリングで運ばれるリソース構成情報を含む。
【０１５３】
実施において、基地局によって送信された前記第１のリソース集合のすべてのリソース集合または第１のリソース集合グループのすべてのリソース集合サブグループがダウンリンクデータの送信に使用されることを示す指示情報が受信されたとき、ダウンリンクデータを受信するための第２のリソース集合または第２のリソース集合グループの第２の時間-周波数リソース位置を決定し、前記第１の時間-周波数リソース位置と前記第２の時間-周波数リソース位置が同じであり、または、
前記基地局によって送信された前記第１のリソース集合のすべてのリソース集合または第１のリソース集合グループのすべてのリソース集合サブグループがダウンリンクデータの送信に使用されないことを示す指示情報が受信されたとき、ダウンリンクデータを受信するための第２のリソース集合または第２のリソース集合グループの第２の時間-周波数リソース位置を決定し、前記第１の時間-周波数リソース位置と前記第２の時間-周波数リソース位置は異なり、または、
基地局によって送信された前記第１のリソース集合内の、ダウンリンクデータの送信に使用されないリソース集合およびダウンリンクデータの送信に使用されるリソース集合を示すビットマップ指示情報が受信されたとき、前記ビットマップ指示情報に基づき、ダウンリンクデータを受信するための第２のリソース集合の第２の時間-周波数リソース位置を決定し、前記第２の時間-周波数リソース位置は、前記第１のリソース集合内のダウンリンクデータの送信に使用されるリソース集合の時間-周波数リソース位置を含み、または、
基地局によって送信された前記第１のリソース集合グループ内の、ダウンリンクデータの送信に使用されないリソース集合サブグループおよびダウンリンクデータの送信に使用されるリソース集合サブグループを示すビットマップ指示情報が受信されたとき、前記ビットマップ指示情報に基づき、ダウンリンクデータを受信するための第２のリソース集合グループの第２の時間-周波数リソース位置を決定し、前記第２の時間-周波数リソース位置は、前記第１のリソース集合グループ内のダウンリンクデータの送信に使用されるリソース集合サブグループの時間-周波数リソース位置を含む。
【０１５４】
本発明の実施形態ＶＩＩＩに係る基地局は、
メモリ内のプログラムを読み取り、送受信機のニーズに応じてデータを処理するように構成されたプロセッサと、
プロセッサの制御下でデータを送受信するように構成された送受信機とを備える。
前記送受信機は、前記端末がダウンリンクデータを受信するための第１のリソース集合または第１のリソース集合グループの第１の時間-周波数リソース位置を取得できるように、リソース構成情報を端末に送信し、
前記端末が前記指示情報に基づいてダウンリンクデータを受信するための第２のリソース集合または第２のリソース集合グループの第２の時間-周波数リソース位置を決定するように、前記第１のリソース集合のすべてのリソース集合または各リソース集合、または第１のリソース集合グループのすべてのリソース集合サブグループまたは各リソース集合サブグループがダウンリンクデータの送信に使用されるかどうかを示すための指示情報を端末に送信し、前記第１のリソース集合グループは、少なくとも１つのリソース集合サブグループを含み、前記少なくとも１つのリソース集合サブグループには、少なくとも１つのリソース集合が含まれる。
【０１５５】
実施において、前記指示情報は、
グループ共通ＰＤＣＣＨまたはデータ伝送をスケジューリングするＵＥ専属ＤＣＩにより運ばれる、前記第１のリソース集合または第１のリソース集合グループのすべてのリソース集合がダウンリンクデータの送信にしようされることを示す指示情報、または、
グループ共通ＰＤＣＣＨまたはデータ伝送をスケジューリングするＵＥ専属ＤＣＩにより運ばれる、前記第１のリソース集合または第１のリソース集合グループのすべてのリソース集合がダウンリンクデータの送信に使用されない指示情報、または、
グループ共通ＰＤＣＣＨにより運ばれる、前記第１のリソース集合内の、ダウンリンクデータの送信に使用されないリソース集合およびダウンリンクデータの送信に使用されるリソース集合を示すビットマップ指示情報、または、
グループ共通ＰＤＣＣＨにより運ばれる、前記第１のリソース集合グループ内の、ダウンリンクデータの送信に使用されないリソース集合サブグループおよびダウンリンクデータの送信に使用されるリソース集合サブグループを示すビットマップ指示情報を含む。
【０１５６】
実施において、前記少なくとも１つのリソース集合内のいずれのリソース集合は、少なくとも１つの周波数領域上のＲＢおよび時間領域上の少なくとも１つのＯＦＤＭシンボルを含み、または少なくとも１つのＣＣＥを含み、または少なくとも１つのＣＣＥグループを含み、または少なくとも１つのＰＲＢグループを含み、または少なくとも１つのＲＥを含み、または少なくとも１つのＲＥグループを含む。
【０１５７】
実施において、前記少なくとも１つのリソース集合サブグループは、端末に送信された高位層シグナリングで運ばれる少なくとも１つのリソース集合をグルーピングするためのグルーピング情報により取得される。
【０１５８】
実施において、前記リソース構成情報は、端末に送信された高位層シグナリングで運ばれるリソース構成情報を含む。
【０１５９】
実施において、前記端末が前記指示情報に基づいてダウンリンクデータを受信するための第２のリソース集合または第２のリソース集合グループの第２の時間-周波数リソース位置を決定するように、前記第１のリソース集合のすべてのまたは第１のリソース集合グループのすべてのリソース集合がダウンリンクデータに送信に使用されないことを示す指示情報を端末に送信し、前記第１の時間-周波数リソース位置と前記第２の時間-周波数リソース位置は異なり、または、
前記端末が前記指示情報に基づいてダウンリンクデータを受信するための第２のリソース集合または第２のリソース集合グループの第２の時間-周波数リソース位置を決定するように、前記第１のリソース集合のすべてのまたは第１のリソース集合グループのすべてのリソース集合がダウンリンクデータの送信に使用されることを示す指示情報を端末に送信し、前記第１の時間-周波数リソース位置と前記第２の時間-周波数リソース位置が同じであり、または、
前記端末が前記指示情報に基づいてダウンリンクデータを受信するための第２のリソース集合または第２のリソース集合グループの第２の時間-周波数リソース位置を決定するように、前記第１のリソース集合内の、ダウンリンクデータの送信に使用されないリソース集合およびダウンリンクデータの送信に使用されるリソース集合を示すビットマップ指示情報を端末に送信し、前記第２の時間-周波数リソース位置は、前記第１のリソース集合内のダウンリンクデータの送信に使用されるリソース集合の時間-周波数リソース位置を含み、または、
前記端末が前記指示情報に基づいてダウンリンクデータを受信するための第２のリソース集合または第２のリソース集合グループの第２の時間-周波数リソース位置を決定するように、前記第１のリソース集合グループ内の、ダウンリンクデータの送信に使用されないリソース集合サブグループおよびダウンリンクデータの送信に使用されるリソース集合サブグループを示すビットマップ指示情報を端末に送信し、前記第２の時間-周波数リソース位置は、前記第１のリソース集合グループ内のダウンリンクデータの送信に使用されるリソース集合サブグループの時間-周波数リソース位置を含む。
【０１６０】
本発明の実施形態における技術的解決策は、少なくとも以下の技術的効果または利点を有する：
本発明の実施形態における技術的解決策の採用により、ダウンリンクデータを送信するためのリソースの利用率を増加させることができ、受信エラーの確率を低減することができ、端末側および基地局側でのデータ送受信挙動の不整合を回避することができ、ユーザーエクスペリエンスが向上する。
【０１６１】
本発明の好ましい実施形態が説明されたが、当業者は、基本的な創造的概念を獲得すると、これらの実施形態に他の変更および修正を加えることができる。したがって、添付の特許請求の範囲は、好ましい実施形態、および本発明の範囲内に入るすべての変更および修正を含むように説明されることを意図している。
【０１６２】
明らかに、当業者は、本発明の精神および範囲から逸脱することなく、本発明に対して様々な変更および修正を行うことができる。したがって、本発明のこれらの変更および変形が本発明の特許請求の範囲および本発明の特許請求の範囲の同等の技術の範囲内にある場合、本発明はこれらの変更および変換を含むものとする。
【符号の説明】
【０１６３】
３０１  第１の決定モジュール
３０２  第２の決定モジュール
４０１  第１の送信モジュール
４０２  第２の送信モジュール
【図１】
2020533901.tif 000004
【図２】
2020533901.tif 000005
【図３】
2020533901.tif 000006
【図４】
2020533901.tif 000007
【図５】
2020533901.tif 000008
【図６】
2020533901.tif 000009
【図７】
2020533901.tif 000010
【図８】
2020533901.tif 000011
【手続補正書】
【提出日】令和2年3月12日(2020.3.12)
【手続補正１】
【補正対象書類名】特許請求の範囲
【補正対象項目名】全文
【補正方法】変更
【補正の内容】
【特許請求の範囲】
【請求項１】
受信された基地局によって送信されたリソース構成情報に基づいて、基地局によって端末に対して構成されたダウンリンクデータを受信するための第１のリソース集合または第１のリソース集合グループの第１の時間-周波数リソース位置を決定するステップと、
受信された基地局によって送信された指示情報に基づいて、ダウンリンクデータを受信するための第２のリソース集合または第２のリソース集合グループの第２の時間-周波数リソース位置を決定するステップとを備え、
前記指示情報は、前記第１のリソース集合のすべてのリソース集合または各リソース集合、または第１のリソース集合グループのすべてのリソース集合サブグループまたは各リソース集合サブグループがダウンリンクデータの送信に使用されるかどうかを示し、前記第１のリソース集合グループは、少なくとも１つのリソース集合サブグループを含み、前記少なくとも１つのリソース集合サブグループには、少なくとも１つのリソース集合が含まれることを特徴とする端末側に適用されるダウンリンクデータを受信するためのリソースを決定する方法。
【請求項２】
前記指示情報は、
受信された基地局によって送信されたグループ共通物理ダウンリンク制御チャネル（ＰＤＣＣＨ）またはデータ伝送をスケジューリングするユーザー機器（ＵＥ）専属ダウンリンク制御情報（ＤＣＩ）により運ばれる、前記第１のリソース集合のすべてのリソース集合または第１のリソース集合グループのすべてのリソース集合サブグループがダウンリンクデータの送信に使用されることを示す指示情報、または、
受信された基地局によって送信されたグループ共通ＰＤＣＣＨまたはデータ伝送をスケジューリングするＵＥ専属ＤＣＩにより運ばれる、前記第１のリソース集合のすべてのリソース集合または第１のリソース集合グループのすべてのリソース集合サブグループがダウンリンクデータの送信に使用されないことを示す指示情報、または、
受信された基地局によって送信されたグループ共通ＰＤＣＣＨにより運ばれる、前記第１のリソース集合内の、ダウンリンクデータの送信に使用されないリソース集合およびダウンリンクデータの送信に使用されるリソース集合を示すビットマップ指示情報、または、
受信された基地局によって送信されたグループ共通ＰＤＣＣＨにより運ばれる、前記第１のリソース集合グループ内の、ダウンリンクデータの送信に使用されないリソース集合サブグループおよびダウンリンクデータの送信に使用されるリソース集合サブグループを示すビットマップ指示情報を含むことを特徴とする請求項１に記載の端末側に適用されるダウンリンクデータを受信するためのリソースを決定する方法。
【請求項３】
前記少なくとも１つのリソース集合内のいずれのリソース集合は、少なくとも１つの周波数領域上のリソースブロック（ＲＢ）および時間領域上の少なくとも１つの直交周波数分割多重ＯＦＤＭシンボルを含み、または少なくとも１つの制御チャネル要素（ＣＣＥ）を含み、または少なくとも１つのＣＣＥグループを含み、または少なくとも１つの物理リソースブロックＰＲＢグループを含み、または少なくとも１つのリソース要素（ＲＥ）を含み、または少なくとも１つのＲＥグループを含むことを特徴とする請求項１に記載の端末側に適用されるダウンリンクデータを受信するためのリソースを決定する方法。
【請求項４】
前記少なくとも１つのリソース集合サブグループは、受信された基地局によって送信された高位層シグナリングで運ばれる少なくとも１つのリソース集合をグルーピングするためのグルーピング情報を通じて取得されることを特徴とする請求項１に記載の端末側に適用されるダウンリンクデータを受信するためのリソースを決定する方法。
【請求項５】
前記リソース構成情報は、受信された基地局によって送信された高位層シグナリングで運ばれるリソース構成情報を含むことを特徴とする請求項１に記載の端末側に適用されるダウンリンクデータを受信するためのリソースを決定する方法。
【請求項６】
前記受信された基地局によって送信された指示情報に基づいて、ダウンリンクデータを受信するための第２のリソース集合または第２のリソース集合グループの第２の時間-周波数リソース位置を決定し、前記指示情報は、前記第１のリソース集合のすべてのリソース集合または各リソース集合、または第１のリソース集合グループのすべてのリソース集合サブグループまたは各リソース集合サブグループがダウンリンクデータの送信に使用されるかどうかを示す場合、
基地局によって送信された前記第１のリソース集合のすべてのリソース集合または第１のリソース集合グループのすべてのリソース集合サブグループがダウンリンクデータの送信に使用されることを示す指示情報が受信されたとき、ダウンリンクデータを受信するための第２のリソース集合または第２のリソース集合グループの第２の時間-周波数リソース位置を決定し、前記第１の時間-周波数リソース位置と前記第２の時間-周波数リソース位置が同じであり、または、
前記基地局によって送信された前記第１のリソース集合のすべてのリソース集合または第１のリソース集合グループのすべてのリソース集合サブグループがダウンリンクデータの送信に使用されないことを示す指示情報が受信されたとき、ダウンリンクデータを受信するための第２のリソース集合または第２のリソース集合グループの第２の時間-周波数リソース位置を決定し、前記第１の時間-周波数リソース位置と前記第２の時間-周波数リソース位置は異なり、または、
基地局によって送信された前記第１のリソース集合内の、ダウンリンクデータの送信に使用されないリソース集合およびダウンリンクデータの送信に使用されるリソース集合を示すビットマップ指示情報が受信されたとき、前記ビットマップ指示情報に基づき、ダウンリンクデータを受信するための第２のリソース集合の第２の時間-周波数リソース位置を決定し、前記第２の時間-周波数リソース位置は、前記第１のリソース集合内のダウンリンクデータの送信に使用されるリソース集合の時間-周波数リソース位置を含み、または、
基地局によって送信された前記第１のリソース集合グループ内の、ダウンリンクデータの送信に使用されないリソース集合サブグループおよびダウンリンクデータの送信に使用されるリソース集合サブグループを示すビットマップ指示情報が受信されたとき、前記ビットマップ指示情報に基づき、ダウンリンクデータを受信するための第２のリソース集合グループの第２の時間-周波数リソース位置を決定し、前記第２の時間-周波数リソース位置は、前記第１のリソース集合グループ内のダウンリンクデータの送信に使用されるリソース集合サブグループの時間-周波数リソース位置を含むことを特徴とする請求項１から請求項５のいずれか一項に記載の端末側に適用されるダウンリンクデータを受信するためのリソースを決定する方法。
【請求項７】
端末がダウンリンクデータを受信するための第１のリソース集合または第１のリソース集合グループの第１の時間-周波数リソース位置を取得できるように、リソース構成情報を前記端末に送信し、
前記端末が指示情報に基づいてダウンリンクデータを受信するための第２のリソース集合または第２のリソース集合グループの第２の時間-周波数リソース位置を決定するように、前記第１のリソース集合のすべてのリソース集合または各リソース集合、または第１のリソース集合グループのすべてのリソース集合サブグループまたは各リソース集合サブグループがダウンリンクデータの送信に使用されるかどうかを示すための前記指示情報を端末に送信し、前記第１のリソース集合グループは、少なくとも１つのリソース集合サブグループを含み、前記少なくとも１つのリソース集合サブグループ内のいずれのリソース集合サブグループは、少なくとも１つのリソース集合を含むことを特徴とする基地局側に適用されるダウンリンクデータを送信するためのリソースを構成する方法。
【請求項８】
前記指示情報は、
グループ共通ＰＤＣＣＨまたはデータ伝送をスケジューリングするＵＥ専属ＤＣＩにより運ばれる、前記第１のリソース集合または第１のリソース集合グループのすべてのリソース集合がダウンリンクデータの送信にしようされることを示す指示情報、または、
グループ共通ＰＤＣＣＨまたはデータ伝送をスケジューリングするＵＥ専属ＤＣＩにより運ばれる、前記第１のリソース集合または第１のリソース集合グループのすべてのリソース集合がダウンリンクデータの送信に使用されない指示情報、または、
グループ共通ＰＤＣＣＨにより運ばれる、前記第１のリソース集合内の、ダウンリンクデータの送信に使用されないリソース集合およびダウンリンクデータの送信に使用されるリソース集合を示すビットマップ指示情報、または、
グループ共通ＰＤＣＣＨにより運ばれる、前記第１のリソース集合グループ内の、ダウンリンクデータの送信に使用されないリソース集合サブグループおよびダウンリンクデータの送信に使用されるリソース集合サブグループを示すビットマップ指示情報を含むことを特徴とする請求項７に記載の基地局側に適用されるダウンリンクデータを送信するためのリソースを構成する方法。
【請求項９】
前記少なくとも１つのリソース集合内のいずれのリソース集合は、少なくとも１つの周波数領域上のＲＢおよび時間領域上の少なくとも１つのＯＦＤＭシンボルを含み、または少なくとも１つのＣＣＥを含み、または少なくとも１つのＣＣＥグループを含み、または少なくとも１つのＰＲＢグループを含み、または少なくとも１つのＲＥを含み、または少なくとも１つのＲＥグループを含むことを特徴とする請求項７に記載の基地局側に適用されるダウンリンクデータを送信するためのリソースを構成する方法。
【請求項１０】
前記少なくとも１つのリソース集合サブグループは、端末に送信された高位層シグナリングで運ばれる少なくとも１つのリソース集合をグルーピングするためのグルーピング情報により取得されることを特徴とする請求項７に記載の基地局側に適用されるダウンリンクデータを送信するためのリソースを構成する方法。
【請求項１１】
前記リソース構成情報は、
端末に送信された高位層シグナリングで運ばれるリソース構成情報を含むことを特徴とする請求項７に記載の基地局側に適用されるダウンリンクデータを送信するためのリソースを構成する方法。
【請求項１２】
前記端末が前記指示情報に基づいてダウンリンクデータを受信するための第２のリソース集合または第２のリソース集合グループの第２の時間-周波数リソース位置を決定するように、前記第１のリソース集合のすべてのリソース集合または各リソース集合、または第１のリソース集合グループのすべてのリソース集合サブグループまたは各リソース集合サブグループがダウンリンクデータの送信に使用されるかどうかを示すための指示情報を端末に送信する場合、
前記端末が前記指示情報に基づいてダウンリンクデータを受信するための第２のリソース集合または第２のリソース集合グループの第２の時間-周波数リソース位置を決定するように、前記第１のリソース集合のすべてのまたは第１のリソース集合グループのすべてのリソース集合がダウンリンクデータに送信に使用されないことを示す指示情報を端末に送信し、前記第１の時間-周波数リソース位置と前記第２の時間-周波数リソース位置は異なり、または、
前記端末が前記指示情報に基づいてダウンリンクデータを受信するための第２のリソース集合または第２のリソース集合グループの第２の時間-周波数リソース位置を決定するように、前記第１のリソース集合のすべてのまたは第１のリソース集合グループのすべてのリソース集合がダウンリンクデータの送信に使用されることを示す指示情報を端末に送信し、前記第１の時間-周波数リソース位置と前記第２の時間-周波数リソース位置が同じであり、または、
前記端末が前記指示情報に基づいてダウンリンクデータを受信するための第２のリソース集合の第２の時間-周波数リソース位置を決定するように、前記第１のリソース集合内の、ダウンリンクデータの送信に使用されないリソース集合およびダウンリンクデータの送信に使用されるリソース集合を示すビットマップ指示情報を端末に送信し、前記第２の時間-周波数リソース位置は、前記第１のリソース集合内のダウンリンクデータの送信に使用されるリソース集合の時間-周波数リソース位置を含み、または、
前記端末が前記指示情報に基づいてダウンリンクデータを受信するための第２のリソース集合グループの第２の時間-周波数リソース位置を決定するように、前記第１のリソース集合グループ内の、ダウンリンクデータの送信に使用されないリソース集合サブグループおよびダウンリンクデータの送信に使用されるリソース集合サブグループを示すビットマップ指示情報を端末に送信し、前記第２の時間-周波数リソース位置は、前記第１のリソース集合グループ内のダウンリンクデータの送信に使用されるリソース集合サブグループの時間-周波数リソース位置を含むことを特徴とする請求項７から請求項１１のいずれか一項に記載の基地局側に適用されるダウンリンクデータを送信するためのリソースを構成する方法。
【請求項１３】
受信された基地局によって送信されたリソース構成情報に基づいて、基地局によって端末に対して構成されたダウンリンクデータを受信するための第１のリソース集合または第１のリソース集合グループの第１の時間-周波数リソース位置を決定するように構成された第１の決定モジュールと、
受信された基地局によって送信された指示情報に基づいて、ダウンリンクデータを受信するための第２のリソース集合または第２のリソース集合グループの第２の時間-周波数リソース位置を決定するように構成された第２の決定モジュールとを備え、
前記指示情報は、前記第１のリソース集合のすべてのリソース集合または各リソース集合、または第１のリソース集合グループのすべてのリソース集合サブグループまたは各リソース集合サブグループがダウンリンクデータの送信に使用されるかどうかを示し、前記第１のリソース集合グループは、少なくとも１つのリソース集合サブグループを含み、前記少なくとも１つのリソース集合サブグループには、少なくとも１つのリソース集合が含まれることを特徴とする端末。
【請求項１４】
端末がダウンリンクデータを受信するための第１のリソース集合または第１のリソース集合グループの第１の時間-周波数リソース位置を取得できるように、リソース構成情報を前記端末に送信するように構成された第１の送信モジュールと、
端末が指示情報に基づいてダウンリンクデータを受信するための第２のリソース集合または第２のリソース集合グループの第２の時間-周波数リソースを決定するように、前記第１のリソース集合のすべてのリソース集合または各リソース集合、または第１のリソース集合グループのすべてのリソース集合サブグループまたは各リソース集合サブグループがダウンリンクデータの送信に使用されるかどうかを示すための前記指示情報を前記端末に送信するように構成された第２の送信モジュールとを備え、
前記第１のリソース集合グループは、少なくとも１つのリソース集合サブグループを含み、前記少なくとも１つのリソース集合サブグループには、少なくとも１つのリソース集合が含まれることを特徴とする基地局。
【請求項１５】
プロセッサによって実行されると、請求項１から請求項１２のいずれか一項に記載の方法のステップを実行する、コンピュータプログラムを記憶するコンピュータ可読記憶媒体。
【国際調査報告】
2020533901.tif 000012
2020533901.tif 000013
2020533901.tif 000014
2020533901.tif 000015